(57)【要約】【課題】  第３世代移動体電気通信システム（ＵＭＴＳ）において不感帯を減じるための方法およびシステムを提供する。【解決手段】  この発明によると、サービス基地局（ＢＳ1）と通信する移動局（ＭＳ）が、次の基地局（ＢＳ2）の少なくとも１つのアップリンク上で不感帯を生じさせる場合、移動局（ＭＳ）と基地局（ＢＳ1）との間のアップリンクおよび／またはダウンリンクに関するパラメータに基づいて、基準が決定され、基地局は、その基準がアップリンクおよび／またはダウンリンクに準拠していない場合に、移動局（ＭＳ）内で無線リンクの遮断を実行する。アップリンク上で送信されるパワーが０になると、移動局（ＭＳ）による次の基地局（ＢＳ2）に関連したセルの無線範囲における劣化がなくなる。【選択図】        図１
2004166273.tif 000002
【特許請求の範囲】
【請求項１】
第１の基地局（ＢＳ1）および／または少なくとも１つの第２の基地局（ＢＳ2）に関する少なくとも１つの不感帯を減じるための方法であって、前記少なくとも１つの第２の基地局は、前記第１の基地局（ＢＳ1）の付近にあり、
少なくとも１つの第１の周波数（ｆ1-UL）上で前記第１の基地局（ＢＳ1）と現在通信している第１の移動局（ＭＳ）が、前記第２の基地局（ＢＳ2）に近づき、第２の移動局と呼ばれる少なくとも１つの他の移動局（ＭＳ′）が、少なくとも１つの第２の周波数（ｆ2-UL）上で前記第２の基地局（ＢＳ2）と通信するとき、前記方法は、以下のステップを含むことを特徴とし、前記以下のステップは、
前記第１の移動局（ＭＳ）によって、少なくとも１つの第１のパラメータ（Ｑf1）および／または少なくとも１つの第２のパラメータ（Ｑｆ2）を推定するステップを含み、前記第１のパラメータ（Ｑf1）は、第３の周波数（ｆ1-DL）上で、前記第１の基地局（ＢＳ1）によって送信され、さらには前記第１の移動局（ＭＳ）によって受信される信号の受信特性を表わし、前記第２のパラメータ（Ｑｆ2）は、第４の周波数（ｆ2-DL）上で、前記第２の基地局（ＢＳ2）によって送信され、さらには前記第１の移動局（ＭＳ）によって受信される信号の受信特性を表わし、前記以下のステップはさらに、
少なくとも前記第１の移動局（ＭＳ）によって、第３のパラメータ（Ｑf1_dB−Ｑf2_dB）を決定するステップを含み、前記第３のパラメータは、前記推定された少なくとも１つの第１のパラメータ（Ｑf1）および／または前記推定された少なくとも１つの第２のパラメータ（Ｑｆ2）に依存し、前記以下のステップはさらに、
前記決定された第３のパラメータの値を予め定められた第１のしきい値（Ｔtarget_UL）と比較するステップを含み、前記第１のしきい値は、少なくとも前記第２の周波数（ｆ2-UL）に対する前記第２の基地局（ＢＳ2）と前記第２の移動局（ＭＳ′）との間のアップリンク上の不感帯を表わし、前記不感帯は、アップリンク不感帯と呼ばれ、前記アップリンク不感帯は、前記少なくとも１つの第２の基地局（ＢＳ2）に関連し、および／または、前記以下のステップは、
前記決定された第３のパラメータの値を予め定められた第２のしきい値（Ｔtarget_DL）と比較するステップを含み、前記第２のしきい値は、少なくとも前記第３の周波数（ｆ1-DL）に対する前記第１の移動局（ＭＳ）と前記第１の基地局（ＢＳ1）との間のダウンリンク上の不感帯を表わし、前記不感帯は、ダウンリンク不感帯と呼ばれ、前記ダウンリンク不感帯は、少なくとも前記第１の基地局（ＢＳ1）に関連し、前記以下のステップはさらに、
前記第３のパラメータ（Ｑf1_dB−Ｑf2_dB）の前記値が、前記第１のしきい値（Ｔtarget_UL）および／または前記第２のしきい値（Ｔtarget_DL）を超えるならば、前記第１の移動局は、前記第１の移動局（ＭＳ）と前記第１の基地局（ＢＳ1）との間で、少なくとも前記第１の周波数（ｆ1-UL）および／または前記第３の周波数（ｆ1-DL）上で実現される無線リンクを遮断するステップを含む、不感帯を減じるための方法。
【請求項２】
前記推定された第１のパラメータ（Ｑf1）および前記推定された第２のパラメータ（Ｑｆ2）は、１つの同じ測定値のタイプによって表わされることを特徴とし、前記測定値のタイプは、以下を含むグループに属し、前記グループは、
チップ当り受信される平均エネルギを対応する無線帯域内で受信される干渉のパワースペクトル密度で除した、第１の測定値（ＣＰＩＣＨ−Ｅｃ／Ｎｏ）と呼ばれる、予め定められた第１の物理的なチャネル（ＣＰＩＣＨ）に特有の測定値（ＣＰＩＣＨ−Ｅｃ／Ｎｏ）と、
前記第１の物理的なチャネル（ＣＰＩＣＨ）の予め定められたコードのために受信される信号のパワーである、前記予め定められた第１の物理的なチャネル（ＣＰＩＣＨ）に特有の、第２の測定値（ＣＰＩＣＨ−ＲＳＣＰ）と呼ばれる、測定値（ＣＰＩＣＨ−ＲＳＣＰ）と、
第２の物理的なチャネル（ＰＣＣＰＣＨ）の予め定められたコード（ＲＳＣＰ）のために受信される信号のパワーである、予め定められた前記第２の物理的なチャネル（ＰＣＣＰＣＨ）に特有の、第３の測定値（ＰＣＣＰＣＨ−ＲＳＣＰ）と呼ばれる、測定値（ＰＣＣＰＣＨ−ＲＳＣＰ）と、
第４の測定値（ＰＬ）と呼ばれる、送信される信号の伝搬によるパワー減衰損失の測定値（ＰＬ）とを含む、請求項１に記載の方法。
【請求項３】
前記測定値のタイプは、前記第４の測定値（ＰＬ）であり、前記第１のしきい値（Ｔtarget_UL）は、以下の式に従って決定され、
【数１】
2004166273.tif 000112
式中、ＰＬtarget_ULは、以下の式に従って決定されるアップリンク上で送信される信号の伝搬によるパワー減衰損失を表わすパラメータであり、
【数２】
2004166273.tif 000113
式中、
【数３】
2004166273.tif 000114
は、前記第１の移動局（ＭＳ）からのアップリンク上のサービス特性目標値であり、
ＩBS1は、前記第１の基地局（ＢＳ1）によってサービスが提供されるセル上の干渉の全レベルであり、
ＩBS2は、前記第２の基地局（ＢＳ2）によってサービスが提供されるセル上の干渉の全レベルであり、
ｘは、アップリンク不感帯減少パラメータであり、
ＡＣＩＲULは、以下の式に従って決定される前記アップリンク上の隣接チャネル上の干渉率であり、
【数４】
2004166273.tif 000115
式中、ＡＣＬＲMSは、前記第１の移動局（ＭＳ）からの送信における隣接チャネル上の拒否率であり、
ＡＣＳBS2は、前記第２の基地局（ＢＳ2）による受信における隣接チャネルの選択率であり、
Ｈ１ULおよびＨ２ULは、それぞれ、前記第１の基地局（ＢＳ1）と前記第２の基地局（ＢＳ2）とのアップリンクに関連するヒステリシスパラメータであり、前記ヒステリシスパラメータは、前記第１のしきい値（Ｔtarget_UL）の計算に対してトリガマージンを提供するようにされていることを特徴とし、および/または、
前記第２のしきい値（Ｔtarget_DL）は、以下の式に従って決定され、
【数５】
2004166273.tif 000116
式中、ＰＬtarget_DLは、以下の式に従って決定されるダウンリンク上で送信される信号の伝搬によるパワー減衰損失を表わすパラメータであり、
【数６】
2004166273.tif 000117
式中、
【数７】
2004166273.tif 000118
は、前記第１の移動局（ＭＳ）へのダウンリンク上のサービス特性目標値であり、
ＰT_BS2は、前記第２の基地局（ＢＳ2）によってサービスが提供されるセル上で送信される全パワーのレベルであり、
ＰT_DLは、前記第１の移動局（ＭＳ）と前記第１の基地局（ＢＳ1）との間の前記ダウンリンク上で許容される、前記第１の基地局（ＢＳ1）による送信パワーの最大レベルであり、
ｚは、ダウンリンク不感帯パラメータであり、
Ｈ１DLおよびＨ２DLは、それぞれ、前記第１の基地局（ＢＳ1）と前記第２の基地局（ＢＳ2）とのダウンリンクに関連したヒステリシスパラメータであり、前記ヒステリシスパラメータは、前記第２のしきい値（Ｔtarget_DL）の計算に対してトリガマージンを提供するようにされており、
ＡＣＩＲDLは、以下の式に従って決定されるダウンリンク上の隣接チャネル上の干渉率であり、
【数８】
2004166273.tif 000119
式中、ＡＣＬＲBS2は、前記第２の基地局（ＢＳ2）からの送信における隣接チャネル上の拒否率であり、
ＡＣＳMSは、前記第１の移動局（ＭＳ）による受信における隣接チャネルの選択率であることを特徴する、請求項２に記載の方法。
【請求項４】
前記測定値のタイプは、前記第３の測定値（ＰＣＣＰＣＨ−ＲＳＣＰ）であり、前記第１のしきい値（Ｔtarget_UL）は、以下の式に従って決定され、
【数９】
2004166273.tif 000120
式中、ＴＸ＿ＰＣＣＰＣＨBS1は、前記第１の基地局（ＢＳ1）からの前記第２の物理的なチャネル（ＰＣＣＰＣＨ）の送信パワーのレベルであり、
ＴＸ＿ＰＣＣＰＣＨBS2は、前記第２の基地局（ＢＳ2）からの前記第２の物理的なチャネル（ＰＣＣＰＣＨ）の送信パワーのレベルであり、
Ｈ１ULおよびＨ２ULは、それぞれ、前記第１の基地局（ＢＳ1）と前記第２の基地局（ＢＳ2）とのアップリンクに関連するヒステリシスパラメータであり、前記ヒステリシスパラメータは、前記第１のしきい値（Ｔtarget_UL）の計算に対してトリガマージンを提供するようにされており、
ＰＬtarget_ULは、以下の式に従って決定されるアップリンク上で送信される信号の伝搬によるパワー減衰損失を表わすパラメータであり、
【数１０】
2004166273.tif 000121
式中、
【数１１】
2004166273.tif 000122
は、前記第１の移動局（ＭＳ）からのアップリンク上のサービス特性目標値であり、
ＩBS1は、前記第１の基地局（ＢＳ1）によってサービスが提供されるセル上の干渉の全レベルであり、
ＩBS2は、前記第２の基地局（ＢＳ2）によってサービスが提供されるセル上の干渉の全レベルであり、
ｘは、アップリンク不感帯減少パラメータであり、
ＡＣＩＲULは、以下の式によって決定されるアップリンク上の隣接チャネル上の干渉率であり、
【数１２】
2004166273.tif 000123
式中、ＡＣＬＲMSは、前記第１の移動局（ＭＳ）からの送信における隣接チャネル上の拒否率であり、
ＡＣＳBS2は、前記第２の基地局（ＢＳ2）による受信における隣接チャネルの選択率であることを特徴とし、および／または、
前記第２のしきい値（Ｔtarget_DL）は、以下の式に従って決定され、
【数１３】
2004166273.tif 000124
式中、Ｈ１DLおよびＨ２DLは、前記第２のしきい値（Ｔtarget_DL）の計算に対してトリガマージンを提供するようにされている、前記第１の基地局（ＢＳ1）と前記第２の基地局（ＢＳ2）とのダウンリンクに関連したヒステリシスパラメータであり、
ＰＬtarget_DLは、以下の式に従って決定される、ダウンリンク上で送信される信号の伝搬によるパワー減衰損失を表わすパラメータであり、
【数１４】
2004166273.tif 000125
式中、
【数１５】
2004166273.tif 000126
は、前記第１の移動局（ＭＳ）へのダウンリンク上のサービス特性目標値であり、
ＰT_BS2は、前記第２の基地局（ＢＳ2）によってサービスが提供されるセル上で送信される全パワーのレベルであり、
ＰT_DLは、前記第１の移動局（ＭＳ）と前記第１の基地局（ＢＳ1）との間の前記ダウンリンク上で許容される、前記第１の基地局（ＢＳ1）による送信パワーの最大レベルであり、
ｚは、ダウンリンク不感帯パラメータであり、
ＡＣＩＲDLは、以下の式に従って決定される、ダウンリンク上の隣接チャネル上の干渉率であり、
【数１６】
2004166273.tif 000127
式中、ＡＣＬＲBS2は、前記第２の基地局（ＢＳ2）からの送信における隣接チャネル上の拒否率であり、
ＡＣＳMSは、前記第１の移動局（ＭＳ）による受信における隣接チャネルの選択率であることを特徴とする、請求項２に記載の方法。
【請求項５】
前記測定値のタイプは、前記第２の測定値（ＣＰＩＣＨ−ＲＳＣＰ）であり、前記第１のしきい値（Ｔtarget_UL）は、以下の式に従って決定され、
【数１７】
2004166273.tif 000128
式中、ＴＸ＿ＣＰＩＣＨBS1は、前記第１の基地局（ＢＳ1）からの前記第１の物理的なチャネル（ＣＰＩＣＨ）の送信パワーのレベルであり、
ＴＸ＿ＣＰＩＣＨBS2は、前記第２の基地局（ＢＳ2）からの前記第１の物理的なチャネル（ＣＰＩＣＨ）の送信パワーのレベルであり、
Ｈ１ULおよびＨ２ULは、それぞれ、前記第１の基地局（ＢＳ1）と前記第２の基地局（ＢＳ2）とのアップリンクに関連したヒステリシスパラメータであり、前記ヒステリシスパラメータは、前記第１のしきい値（Ｔtarget_UL）の計算に対してトリガマージンを提供するようにされており、
ＰＬtarget_ULは、以下の式に従って決定される、アップリンク上の信号の伝搬によるパワー減衰損失を表わすパラメータであり、
【数１８】
2004166273.tif 000129
式中、
【数１９】
2004166273.tif 000130
は、前記第１の移動局（ＭＳ）からのアップリンク上のサービス特性目標値であり、
ＩBS1は、前記第１の基地局（ＢＳ1）によってサービスが提供されるセル上の干渉の全レベルであり、
ＩBS2は、前記第２の基地局（ＢＳ2）によってサービスが提供されるセル上の干渉の全レベルであり、
ｘは、アップリンク不感帯減少パラメータであり、
ＡＣＩＲULは、以下の式に従って決定されるアップリンク上の隣接チャネル上の干渉率であり、
【数２０】
2004166273.tif 000131
式中、ＡＣＬＲMSは、前記第１の移動局（ＭＳ）からの送信における隣接チャネル上の拒否率であり、
ＡＣＳBS2は、前記第２の基地局（ＢＳ2）による受信における隣接チャネルの選択率であることを特徴とし、および／または、
前記第２のしきい値（Ｔtarget_DL）は、以下の式に従って決定され、
【数２１】
2004166273.tif 000132
式中、Ｈ１DLおよびＨ２DLは、それぞれ、前記第１の基地局（ＢＳ1）と前記第２の基地局（ＢＳ2）とのダウンリンクに関連したヒステリシスパラメータであり、前記ヒステリシスパラメータは、前記第２のしきい値（Ｔtarget_DL）の計算に対してトリガマージンを提供するようにされており、
ＰＬtarget_DLは、以下の式に従って決定される、ダウンリンク上で送信される信号の伝搬によるパワー減衰損失を表わすパラメータであり、
【数２２】
2004166273.tif 000133
式中、
【数２３】
2004166273.tif 000134
は、前記第１の移動局（ＭＳ）へのダウンリンク上のサービス特性目標値であり、
ＰT_BS2は、前記第２の基地局（ＢＳ2）によってサービスが提供されるセル上で送信される全パワーのレベルであり、
ＰT_DLは、前記第１の移動局（ＭＳ）と前記第１の基地局（ＢＳ1）との間の前記ダウンリンク上で許容される、前記第１の基地局（ＢＳ1）による送信パワーの最大レベルであり、
ｚは、ダウンリンク不感帯パラメータであり、
ＡＣＩＲDLは、以下の式に従って決定される、ダウンリンク上の隣接チャネル上の干渉率であり、
【数２４】
2004166273.tif 000135
式中、ＡＣＬＲBS2は、前記第２の基地局（ＢＳ2）からの送信における隣接チャネル上の拒否率であり、
ＡＣＳMSは、前記第１の移動局（ＭＳ）による受信における隣接チャネルの選択率であることを特徴とする、請求項２に記載の方法。
【請求項６】
前記測定値のタイプは、前記第１の測定値（ＣＰＩＣＨ−Ｅｃ／Ｎｏ）であり、前記第１のしきい値（Ｔtarget_UL）は、以下の式に従って決定され、
【数２５】
2004166273.tif 000136
式中、ＴＸ＿ＣＰＩＣＨBS1は、前記第１の基地局（ＢＳ1）からの前記第１の物理的なチャネル（ＣＰＩＣＨ）の送信パワーのレベルであり、
ＴＸ＿ＣＰＩＣＨBS2は、前記第２の基地局（ＢＳ2）からの前記第１の物理的なチャネル（ＣＰＩＣＨ）の送信パワーのレベルであり、
ＲＳＳＩBS1は、前記第１の基地局（ＢＳ1）から受信される広帯域パワーのレベルであり、
ＲＳＳＩBS2は、前記第２の基地局（ＢＳ2）から受信される広帯域パワーのレベルであり、
Ｈ１ULおよびＨ２ULは、それぞれ、前記第１の基地局（ＢＳ1）と前記第２の基地局（ＢＳ2）とのアップリンクに関連したヒステリシスパラメータであり、前記ヒステリシスパラメータは、前記第１のしきい値（Ｔtarget_UL）の計算に対してトリガマージンを提供するようにされており、
ＰＬtarget_ULは、以下の式に従って決定されるアップリンク上で送信される信号の伝搬によるパワー減衰損失を表わすパラメータであり、
【数２６】
2004166273.tif 000137
式中、
【数２７】
2004166273.tif 000138
は、前記第１の移動局（ＭＳ）からのアップリンク上のサービス特性目標値であり、
ＩBS1は、前記第１の基地局（ＢＳ1）によってサービスが提供されるセル上の干渉の全レベルであり、
ＩBS2は、前記第２の基地局（ＢＳ2）によってサービスが提供されるセル上の干渉の全レベルであり、
ｘは、アップリンク不感帯減少パラメータであり、
ＡＣＩＲULは、以下の式に従って決定される、アップリンク上の隣接チャネル上の干渉率であり、
【数２８】
2004166273.tif 000139
式中、ＡＣＬＲMSは、前記第１の移動局（ＭＳ）からの送信における隣接チャネル上の拒否率であり、
ＡＣＳBS2は、前記第２の基地局（ＢＳ2）による受信における隣接チャネルの選択率であることを特徴とし、および／または、
前記第２のしきい値（Ｔtarget_DL）は、以下の式に従って決定され、
【数２９】
2004166273.tif 000140
式中、Ｈ１DLおよびＨ２DLは、それぞれ、前記第１の基地局（ＢＳ1）と前記第２の基地局（ＢＳ2）とのダウンリンクに関連したヒステリシスパラメータであり、前記ヒステリシスパラメータは、前記第２のしきい値（Ｔtarget_DL）の計算に対してトリガマージンを提供するようにされており、
ＰＬtarget_DLは、以下の式に従って決定される、ダウンリンク上の信号の伝搬によるパワー減衰損失を表わすパラメータであり、
【数３０】
2004166273.tif 000141
式中、
【数３１】
2004166273.tif 000142
は、前記第１の移動局（ＭＳ）へのダウンリンク上のサービス特性目標値であり、
ＰT_BS2は、前記第２の基地局（ＢＳ2）によってサービスが提供されるセル上で送信される全パワーのレベルであり、
ＰT_DLは、前記第１の移動局（ＭＳ）と前記第１の基地局（ＢＳ1）との間の前記ダウンリンク上で許容される、前記第１の基地局（ＢＳ1）による送信パワーの最大レベルであり、
ｚは、ダウンリンク不感帯パラメータであり、
ＡＣＩＲDLは、以下の式に従って決定されるダウンリンク上の隣接チャネル上の干渉率であり、
【数３２】
2004166273.tif 000143
式中、ＡＣＬＲBS2は、前記第２の基地局（ＢＳ2）からの送信における隣接チャネル上の拒否率であり、
ＡＣＳMSは、前記第１の移動局（ＭＳ）による受信における隣接チャネルの選択率であることを特徴とする、請求項２に記載の方法。
【請求項７】
前記第１の基地局（ＢＳ1）および前記第２の基地局（ＢＳ2）の前記アップリンクおよび／または前記ダウンリンクに関連した前記ヒステリシスパラメータの値は、０ではないことを特徴とする、請求項３から６のいずれかに記載の方法。
【請求項８】
前記方法はさらに、
前記第１の移動局（ＭＳ）からの送信における隣接チャネル上の拒否率（ＡＣＬＲMS_spec）を前記第１の移動局（ＭＳ）によって記憶するステップを含み、隣接チャネル上の前記拒否率（ＡＣＬＲMS_spec）は、前記第１の移動局に特有であり、前記方法はさらに、
以下の式に従って、アップリンク上の隣接チャネル上の前記干渉率（ＡＣＩＲUL）を決定するステップを含み、前記以下の式は、
【数３３】
2004166273.tif 000144
であり、式中、ＡＣＳBS2は、前記第２の基地局（ＢＳ2）による受信における隣接チャネルの選択率であることを特徴とし、および／または、
前記方法はさらに、
前記第１の移動局（ＭＳ）による受信における隣接チャネルの選択率（ＡＣＳMS_spec）を前記第１の移動局（ＭＳ）によって記憶するステップを含み、隣接チャネルの前記選択率（ＡＣＳMS_spec）は、前記第１の移動局（ＭＳ）に特有であり、前記方法はさらに、
以下の式に従って、ダウンリンク上の隣接チャネル上の前記干渉率（ＡＣＩＲDL）を決定するステップを含み、前記以下の式は、
【数３４】
2004166273.tif 000145
であり、式中、ＡＣＬＲBS2_dBは、前記第２の基地局（ＢＳ2）からの送信における隣接チャネル上の拒否率であることを特徴とする、請求項３から７のいずれかに記載の方法。
【請求項９】
前記第１の基地局（ＢＳ1）は、前記第１の移動局（ＭＳ）を設定するための少なくとも１つの第１の設定メッセージを含む信号を前記第１の移動局（ＭＳ）に送信し、前記第１の設定メッセージは、少なくとも１つの第１の情報要素を含み、前記少なくとも１つの第１の情報要素は、以下を含むグループに属する少なくとも１つのパラメータを表わし、前記グループは、
前記第１の移動局（ＭＳ）からの前記アップリンク上の前記サービス特性目標値
【数３５】
2004166273.tif 000146
と、
前記第１の基地局によってサービスが提供される前記セル上で許容される前記全干渉レベル（ＩBS1）と、
前記第２の基地局によってサービスが提供される前記セル上で許容される前記全干渉レベル（ＩBS2）と、
前記アップリンク不感帯減少パラメータ（ｘ）と、
前記第１の移動局（ＭＳ）からの送信における、前記第２の基地局による、隣接チャネル上の前記拒否率（ＡＣＬＲMS）と、
前記第２の基地局（ＢＳ2）による受信における隣接チャネルの前記選択率（ＡＣＳBS2）と、
前記第１のしきい値（Ｔtarget_UL）とを含むことを特徴とし、および／または、
前記第１の基地局（ＢＳ1）は、前記第１の移動局（ＭＳ）を設定するための少なくとも１つの第２の設定メッセージを含む信号を前記第１の移動局（ＭＳ）に送信し、前記第２の設定メッセージは、少なくとも１つの第２の情報要素を含み、前記少なくとも１つの第２の情報要素は、以下を含むグループに属する少なくとも１つのパラメータを表わし、前記グループは、
前記第１の移動局（ＭＳ）への前記ダウンリンク上の前記サービス特性目標値
【数３６】
2004166273.tif 000147
と、
前記第２の基地局（ＢＳ2）によってサービスが提供される前記セル上で送信される前記全パワーのレベル（ＰT_BS2）と、
前記第１の移動局（ＭＳ）と前記第１の基地局（ＢＳ1）との間の前記ダウンリンク上で許容される、前記第１の基地局（ＢＳ1）による前記送信パワーの最大レベル（ＰT_DL）と、
前記ダウンリンク不感帯減少パラメータ（ｚ）と、
前記第１の移動局（ＭＳ）による受信における隣接チャネルの前記選択率（ＡＣＳMS）と、
前記第２の基地局（ＢＳ2）からの送信における隣接チャネル上の前記拒否率（ＡＣＬＲBS2）と、
前記第２のしきい値（Ｔtarget_DL）と、
第２の最大しきい値（Ｔtarget_DL_Max）とを含むことを特徴とする、請求項３から８のいずれかに記載の方法。
【請求項１０】
前記第１の基地局（ＢＳ1）は、前記第１の移動局を設定するための少なくとも１つの第３の設定メッセージを含む信号を前記第１の移動局（ＭＳ）に送信し、前記第３の設定メッセージは、少なくとも１つの第３の情報要素を含み、前記少なくとも１つの第３の情報要素は、以下の式に従って決定される第１の中間しきい値（Ｔintermediary_UL）を表わし、前記以下の式は、
【数３７】
2004166273.tif 000148
であり、
前記第１のしきい値（Ｔtarget_UL）の決定は、ｄＢで表わされ、さらには前記第１の移動局（ＭＳ）によって行われる、記憶されるアップリンク上の隣接チャネル上の前記拒否率（ＡＣＩＲUL）と前記第１の中間しきい値（Ｔintermediary_UL）との加算を含むことを特徴とし、および／または、
前記第１の基地局（ＢＳ1）は、前記第１の移動局を設定するための少なくとも１つの第４の設定メッセージを含む信号を前記第１の移動局（ＭＳ）に送信し、前記第４の設定メッセージは、少なくとも１つの第４の情報要素を含み、前記少なくとも１つの第４の情報要素は、以下の式に従って決定される第２の中間しきい値（Ｔintermediary_DL）を表わし、前記以下の式は、
【数３８】
2004166273.tif 000149
であり、
前記第２のしきい値（Ｔtarget_DL）の決定は、ｄＢで表わされ、さらには前記第１の移動局（ＭＳ）によって行われる、前記第１の移動局（ＭＳ）による受信における隣接チャネル上の前記干渉率（ＡＣＩＲDL）と、前記第２の中間しきい値（Ｔintermediary_DL）との加算を含むことを特徴とする、請求項８に記載の方法。
【請求項１１】
前記第１の移動局（ＭＳ）は、少なくとも１つの第５の設定メッセージを含む信号を前記第１の基地局（ＢＳ1）に送信し、前記第５の設定メッセージは、少なくとも１つの第５の情報要素を含み、前記少なくとも１つの第５の情報要素は、前記第１の移動局（ＭＳ）に特有である、隣接チャネル上の前記記憶された拒否率（ＡＣＬＲMS_spec）を表わし、前記第１の基地局（ＢＳ1）は、前記第１のしきい値（Ｔtarget_UL）を隣接チャネル上の前記特有の拒否率（ＡＣＬＲMS_spec）の関数として決定し、さらには前記第１のしきい値（Ｔtarget_UL）を前記第１の移動局（ＭＳ）に送信することを特徴とし、および／または、
前記第１の移動局（ＭＳ）は、少なくとも１つの第６の設定メッセージを含む信号を前記第１の基地局（ＢＳ1）に送信し、前記第６の設定メッセージは、少なくとも１つの第６の情報要素を含み、前記少なくとも１つの第６の情報要素は、前記第１の移動局（ＭＳ）に特有である、隣接チャネルの前記選択率（ＡＣＳMS_spec）を表わし、前記第１の基地局（ＢＳ1）は、前記第２のしきい値（Ｔtarget_DL）を隣接チャネルの前記特有の選択率（ＡＣＳMS_spec）の関数として決定し、さらには前記第２のしきい値（Ｔtarget_DL）
を前記第１の移動局（ＭＳ）に送信することを特徴とする、請求項８または１０に記載の方法。
【請求項１２】
少なくとも前記第１のしきい値（Ｔtarget_UL）および／または前記第２のしきい値（Ｔtarget_DL）は、それぞれ前記第１の基地局（ＢＳ1）および前記第２の基地局（ＢＳ2）に関連する少なくとも第１の部分的なしきい値（Ｔ1_target_UL，Ｔ1_target_DL）および／または第２の部分的なしきい値（Ｔ2_target_UL，Ｔ2_target_DL）に分割され、ｄＢで表わされる、その差は、それぞれ前記第１のしきい値（Ｔtarget_UL）および／または前記第２のしきい値（Ｔtarget_DL）に等しいことを特徴とし、
前記第１の基地局（ＢＳ1）は、前記第１の移動局を設定するための少なくとも１つの第７の設定メッセージを含む信号を前記第１の移動局（ＭＳ）に送信し、前記第７の設定メッセージは、少なくとも１つの第７の情報要素を含み、前記少なくとも１つの第７の情報要素は、以下を含むグループに属する少なくとも１つのパラメータを表わし、前記グループは、
前記第２の基地局（ＢＳ2）に関連する前記アップリンク不感帯に関する前記第１の部分的なしきい値（Ｔ1_target_UL_dB）と、
前記第１の基地局（ＢＳ1）に関連する前記ダウンリンク不感帯に関する前記第１の部分的なしきい値（Ｔ1_target_DL_dB）と、
前記第２の基地局（ＢＳ2）に関連する前記アップリンク不感帯に関する前記第２の部分的なしきい値（Ｔ2_target_UL）と、
前記第１の基地局（ＢＳ1）に関連する前記ダウンリンク不感帯に関する前記第２の部分的なしきい値（Ｔ2_target_DL_dB）と、
前記第２の基地局（ＢＳ2）に関連する前記アップリンク不感帯に関する第１の最大の部分的なしきい値（Ｔ1target_UL_Max）と、
前記第１の基地局（ＢＳ1）に関連する前記ダウンリンク不感帯に関する第１の最大の部分的なしきい値（Ｔ1target_DL_Max）とを含むことを特徴とする、請求項１から１１のいずれかに記載の方法。
【請求項１３】
前記第７の設定メッセージは、前記第２の基地局（ＢＳ2）に関連する前記アップリンク不感帯に関する前記第１の最大の部分的なしきい値（Ｔ1target_UL_Max）を含み、
前記方法は、
前記第１の移動局（ＭＳ）に前記第１のしきい値（Ｔtarget_UL）を提供するステップと、
前記第２の基地局（ＢＳ2）に関連する前記アップリンク不感帯に関する前記第１の最大の部分的なしきい値（Ｔ1target_UL_Max）を、前記第２の基地局（ＢＳ2）に関連する前記アップリンク不感帯に関する第１の部分的なしきい値（Ｔ1_target_UL）として、前記第１の移動局（ＭＳ）によって用いるステップと、
前記第２の基地局（ＢＳ2）に関連する前記アップリンク不感帯に関する前記第２の部分的なしきい値（Ｔ2_target_UL）を前記第１の移動局（ＭＳ）によって決定するステップとを含むことを特徴とし、および／または、
前記第７の設定メッセージは、前記第１の基地局（ＢＳ1）に関連する前記ダウンリンク不感帯に関する前記第１の最大の部分的なしきい値（Ｔ1target_DL_Max）を含み、前記方法は、
前記第１の移動局（ＭＳ）に前記第２のしきい値（Ｔtarget_DL）を提供するステップと、
前記第１の基地局（ＢＳ1）に関連する前記ダウンリンク不感帯に関する前記第１の最大の部分的なしきい値（Ｔ1target_DL_Max）を、前記第１の基地局（ＢＳ1）に関連する前記ダウンリンク不感帯に関する第１の部分的なしきい値（Ｔ1_target_DL）として、前記第１の移動局（ＭＳ）によって用いるステップと、
前記第１の基地局（ＢＳ1）に関連する前記ダウンリンク不感帯に関する前記第２の部
分的なしきい値（Ｔ2_target_DL）を前記第１の移動局（ＭＳ）によって決定するステップとを含むことを特徴とする、請求項１２に記載の方法。
【請求項１４】
前記比較するステップは、前記第１のパラメータ（Ｑf1）および前記第２のパラメータ（Ｑf2）の前記値をそれぞれ前記第１の部分的なしきい値（Ｔ1_target_ULまたはＴ1_target_DL）および前記第２の部分的なしきい値（Ｔ2_target_ULまたはＴ2_target_DL）と比較するステップを含み、前記第１の移動局（ＭＳ）と前記第１の基地局（ＢＳ1）との間で、少なくとも前記第１の周波数（ｆ1-UL）および／または前記第３の周波数（ｆ1-DL）上で実現される前記無線リンクは、
前記第１のパラメータ（Ｑf1）の前記値が、前記第１の基地局（ＢＳ1）に関連する前記ダウンリンク不感帯に関する前記第１の部分的なしきい値（Ｔ1_target_DL_dB）よりも小さく、前記第２のパラメータ（Ｑｆ2）の前記値が、前記第１の基地局（ＢＳ1）に関連する前記ダウンリンク不感帯に関する前記第２の部分的なしきい値（Ｔ2_target_DL_dB）よりも大きい場合、および／または、
前記第１のパラメータ（Ｑf1）の前記値が、前記第２の基地局（ＢＳ2）に関連する前記アップリンク不感帯に関する前記第１の部分的なしきい値（Ｔ1_target_UL）よりも小さく、前記第２のパラメータ（Ｑｆ2）の前記値が、前記第２の基地局（ＢＳ2）に関連する前記アップリンク不感帯に関する前記第２の部分的なしきい値（Ｔ2_target_UL）よりも大きい場合に、遮断されることを特徴とする、請求項１２または１３に記載の方法。
【請求項１５】
前記比較するステップを実行するために、前記第１の基地局（ＢＳ1）は、前記第１の移動局（ＭＳ）を設定するための第８の設定メッセージを含む信号を予め前記第１の移動局（ＭＳ）に送信し、前記第８の設定メッセージは、少なくとも１つの第８の情報要素を含み、前記少なくとも１つの第８の情報要素は、前記第１の移動局（ＭＳ）と前記第１の基地局（ＢＳ1）との間の前記無線リンクの前記遮断に関連した少なくとも１つのイベントを表わし、前記少なくとも１つのイベントは、
タイプ１ｅのイベントと、
タイプ１ｆのイベントと、
タイプ２ａのイベントと、
タイプ２ｂのイベントと、
タイプ２ｃのイベントと、
タイプ２ｄのイベントとを含むグループに属することを特徴とする、請求項１２から１４のいずれかに記載の方法。
【請求項１６】
前記第１の移動局（ＭＳ）と前記第１の基地局（ＢＳ1）との間の前記無線リンクを遮断するために、前記第１の移動局（ＭＳ）は、無線リンク障害手続を実行することを特徴とする、請求項１から１５のいずれかに記載の方法。
【請求項１７】
前記第１の移動局（ＭＳ）は、信号の受信後、前記第１の基地局（ＢＳ1）との前記無線リンクを遮断し、前記信号は、前記第１の移動局を設定するための少なくとも１つの第９の設定メッセージを含み、前記第９の設定メッセージは、少なくとも１つの第９の情報要素を含み、前記少なくとも１つの第９の情報要素は、前記第１の移動局（ＭＳ）が前記無線リンクを遮断することを可能にすることを特徴とする、請求項１から１６のいずれかに記載の方法。
【請求項１８】
前記方法は、前記第８の設定メッセージを含む前記信号の前記送信後、および前記第１の基地局（ＢＳ1）と前記第１の移動局（ＭＳ）との間の前記無線リンクの前記遮断の前に、前記第１の基地局（ＢＳ1）から前記第１の移動局（ＭＳ）へと、以下を含むグループに属する少なくとも１つのメッセージを送信するステップを含み、前記グループは、
無線ベアラ再設定メッセージと、
無線ベアラ解除メッセージと、
トランスポートチャネル再設定メッセージと、
物理チャネル再設定メッセージとを含むことを特徴とする、請求項１５に記載の方法。
【請求項１９】
前記無線リンク障害手続を実行するために、前記第１の基地局（ＢＳ1）は、第１０の設定メッセージを含む信号を前記第１の移動局（ＭＳ）に予め送信し、前記第１０の設定メッセージは、少なくとも１つの第１０の情報要素を含み、前記少なくとも１つの第１０の情報要素の値は、前記無線リンク障害手続の実行アクションまたは非実行アクションを表わすことを特徴とする、請求項１６または１７に記載の方法。
【請求項２０】
前記第１０の設定メッセージは、少なくとも１つの第１１の情報要素をさらに含み、前記少なくとも１つの第１１の情報要素の値は、前記無線リンク障害手続を実行する前記少なくとも１つのイベントのタイプを表わすことを特徴とする、請求項１９に記載の方法。
【請求項２１】
少なくとも１つのイベントに関連する前記第８の設定メッセージを前記第１の移動局（ＭＳ）へ送信することは、前記第２の基地局（ＢＳ2）に関連するアップリンク不感帯および／または前記第１の基地局（ＢＳ1）に関連するダウンリンク不感帯であるかもしれないゾーンに前記第１の移動局（ＭＳ）が存在する場合、および、その場合にのみ、実行されることを特徴とする、請求項１５から１８のいずれかに記載の方法。
【請求項２２】
前記第１の移動局（ＭＳ）と前記第１の基地局（ＢＳ1）との間の前記無線リンクを遮断する前に、前記第１の移動局（ＭＳ）は、前記第３の周波数（ｆ1-DL）および前記第４の周波数（ｆ2-DL）上で、前記第１の基地局（ＢＳ1）および前記第２の基地局（ＢＳ2）から前記第１の移動局（ＭＳ）に送信される前記信号の前記受信特性を表わす少なくとも前記推定された第１のパラメータ（Ｑf1）および前記推定された第２のパラメータ（Ｑｆ2）を前記第１の基地局（ＢＳ1）に送信することを特徴とする、請求項１から２１のいずれかに記載の方法。
【請求項２３】
複数の基地局および複数の移動局を含む移動体電気通信システムであって、少なくとも１つの基地局および少なくとも１つの移動局は、通信するために、周波数分割デュプレックスモードおよび／または広帯域符号分割多重アクセス技術を実現し、
前記移動体電気通信システムは、第１の基地局（ＢＳ1）および／または少なくとも１つの第２の基地局（ＢＳ2）に関連する少なくとも１つの不感帯を減じるための、請求項１から２２のいずれかに記載の前記方法を実現することを特徴とする、移動体電気通信システム。
【請求項２４】
少なくとも１つの第１の周波数（ｆ1-UL）上で少なくとも１つの第１の基地局（ＢＳ1）と通信するための手段を含むタイプの、第１の移動局と呼ばれる、移動局（ＭＳ）であって、少なくとも１つの第２の基地局（ＢＳ2）は、前記第１の基地局（ＢＳ1）の付近にあり、
第２の移動局と呼ばれる少なくとも１つの他の移動局（ＭＳ′）は、少なくとも１つの第２の周波数（ｆ2-UL）上で前記第２の基地局（ＢＳ2）と通信し、前記第１の移動局は、以下の手段を含むことを特徴とし、前記以下の手段は、
少なくとも１つの第１のパラメータ（Ｑf1）および／または少なくとも１つの第２のパラメータ（Ｑｆ2）を推定する手段を含み、前記第１のパラメータ（Ｑf1）は、第３の周波数（ｆ1-DL）上で、前記第１の基地局（ＢＳ1）によって送信され、さらには前記第１の移動局（ＭＳ）によって受信される信号の受信特性を表わし、前記第２のパラメータ（Ｑｆ2）は、第４の周波数（ｆ2-DL）上で、前記第２の基地局（ＢＳ2）によって送信され、さらには前記第１の移動局（ＭＳ）によって受信される信号の受信特性を表わし、前記以下の手段はさらに、
第３のパラメータ（Ｑf1_dB−Ｑf2_dB）を決定する手段を含み、前記第３のパラメータは、前記推定された少なくとも１つの第１のパラメータ（Ｑf1）および／または前記推定された少なくとも１つの第２のパラメータ（Ｑｆ2）に依存し、前記以下の手段はさらに、
前記決定された第３のパラメータの値を予め定められた第１のしきい値（Ｔtarget_UL）と比較する手段を含み、前記第１のしきい値は、少なくとも前記第２の周波数（ｆ2-UL）に対する前記第２の基地局（ＢＳ2）と前記第２の移動局（ＭＳ′）との間のアップリンク上の不感帯を表わし、前記不感帯は、アップリンク不感帯と呼ばれ、前記アップリンク不感帯は、前記少なくとも１つの第２の基地局（ＢＳ2）に関連し、および／または、前記以下の手段は、
前記決定された第３のパラメータの値を予め定められた第２のしきい値（Ｔtarget_DL）と比較する手段を含み、前記第２のしきい値は、少なくとも前記第３の周波数（ｆ1-DL）に対する前記第１の移動局（ＭＳ）と前記第１の基地局（ＢＳ1）との間のダウンリンク上の不感帯を表わし、前記不感帯は、ダウンリンク不感帯と呼ばれ、前記ダウンリンク不感帯は、少なくとも前記第１の基地局（ＢＳ1）に関連し、前記以下の手段はさらに、
前記第３のパラメータ（Ｑf1_dB−Ｑf2_dB）の値が、前記第１のしきい値（Ｔtarget_UL）および／または前記第２のしきい値（Ｔtarget_DL）を超えるならば、前記第１の移動局が、前記第１の移動局（ＭＳ）と前記第１の基地局（ＢＳ1）との間において、少なくとも前記第１の周波数（ｆ1-UL）および／または前記第３の周波数（ｆ1-DL）上で実現される無線リンクを遮断する手段を含む、移動局。
【請求項２５】
前記第１の移動局（ＭＳ）はさらに、
前記第１の移動局（ＭＳ）による送信における隣接チャネル上の拒否率（ＡＣＬＲMS_spec）を記憶する手段を含み、隣接チャネル上の前記拒否率（ＡＣＬＲMS_spec）は、前記第１の移動局（ＭＳ）に特有であり、および／または、前記第１の移動局（ＭＳ）はさらに、
前記第１の移動局（ＭＳ）による受信における隣接チャネルの選択率（ＡＣＳMS_spec）を記憶する手段を含み、隣接チャネルの前記選択率（ＡＣＳMS_spec）は、前記第１の移動局（ＭＳ）に特有であることを特徴とする、請求項２４に記載の移動局。
【発明の詳細な説明】
【技術分野】
【０００１】
この発明は、ユニバーサル移動体電気通信システム（または、ＵＭＴＳ；Universal Mobile Telecommunication Systemを表わす）などの第３世代移動体電気通信システム内の不感帯を減じるための方法およびシステムに関する。
【背景技術】
【０００２】
Ｗ−ＣＤＭＡ（Wideband-Code Division Multiple Accessを表わす）技術などの広帯域スペクトル拡散無線伝送技術を使用する移動体電気通信システムでは、不感帯は、所与の基地局に関連づけられる所与の無線セルの無線範囲が無線干渉によって低減することによって特徴づけられる。
【０００３】
この状況は、典型的には、Ｗ−ＣＤＭＡタイプの移動局が、これ以降サービスセルと呼ばれる、ある公称無線範囲を有する遠隔の基地局とデュプレックス無線サービスを維持する場合に起こる。実際には物理的に空中のリンクで維持され、この説明では、これ以降、単純にするためリンクと呼ばれる移動局と遠隔基地局との間の無線リンク、ダウンリンクおよびアップリンクが、このデュプレックスサービスを維持するほどに十分強い場合、このことは、移動局が、移動局の付近にある１つまたは複数のセルのアップリンクに干渉を生成することを意味する。したがって、次の混乱されるセルのうちの１つの中でリンクを維持するすべての移動局の、Ｓ／Ｉで表わされる有用な信号対干渉比は、サービス局と表わされる基地局と移動局との間のアップリンクによる干渉によって劣化される。無線リンクは「論理的な無線リンク」を意味するものと理解され、つまり、無線リンクは１つまたは複数のアップリンクおよび／またはダウンリンクからなる。移動局がそのサービスセルから遠ざかるほど、この干渉は大きくなる。この干渉が強くなり過ぎると、移動局はいわゆるブラインドゾーンに再び入る。したがって、ブラインドゾーンは、移動局のアップリンクが、次の干渉されるセルの基地局に対して妨害的になるゾーンと定義される。次のセルの無線範囲は、干渉の強さに応じて変化する。このため、セルは「ブリーズする」と言われる。特に、セルは、干渉する移動局がブラインドゾーンに入ったときに収縮し、移動局がブラインドゾーンを出たときに拡大する。したがって、不感帯は、次のセルが干渉を受けている場合の無線範囲と干渉を受けていない場合の無線範囲との差として、または、すなわち、次のセルが干渉された場合の無線範囲の変化と定義される。この変化は無線リンクのクォリティが保証され得ない地理的なゾーンを規定する。これはアップリンク不感帯と呼ばれる。なぜなら、干渉される次のセルのアップリンクに影響するためである。
【０００４】
移動局がサービスセルから遠ざかったとき、移動局は、１つまたは複数の次のセルに近づく傾向がある。次のセルの基地局は、移動局に対して干渉を生成し、これがサービス基地局と移動局との間のダウンリンクを徐々に劣化させる。この劣化が大きくなり過ぎると、移動局は、干渉を引起こす次のセルの基地局に関連するいわゆるダウンリンクブラインドゾーンに再び入ると言われる。
【０００５】
さらに、次の基地局によって、サービス基地局と移動局との間のダウンリンクに干渉が生成されるため、とりわけ、サービス基地局に関連するダウンリンク不感帯が現われる。ダウンリンク不感帯は、（関連の次の基地局よって送信される信号によって）干渉されるサービスセルの無線範囲の変化と定義することができる。
【発明の開示】
【発明が解決しようとする課題】
【０００６】
この発明の目的は、移動体電気通信システム内のアップリンクおよび／またはダウンリンク不感帯を減ずることである。
【０００７】
無線ネットワークプランニングは、以下の２つの事例において、アップリンクおよびダウンリンク不感帯を効果的に減ずることを可能にしてきた。
【０００８】
「シングルオペレータ周波数内」事例と呼ばれる第１の事例では、サービスセルと干渉される次のセルとは同じ周波数を共有し、同じオペレータによって、協調される態様で管理される。この事例では、オペレータは潜在的な不感帯が関連するすべてのセルを監視および制御することができる。特に、オペレータは、そのユニバーサル地上無線アクセスネットワーク（ＵＴＲＡＮ；Unversal Terrestrial Radio Access Networkを表わす）から関連の移動局に、サービスセルを変更し、次のセルのうちの１つへとハンドオーバーするように指示することができる。このハンドオーバーは、ソフトな態様で行なわれ得る。このため、「ソフトハンドオーバー」と呼ばれる。ハンドオーバー動作は、まず、最初のサービス基地局からの信号と、同じ情報を送信する１つまたは複数の次の基地局からの信号とを一時的に合計するステップと、次に、最初のサービス基地局、および少なくとも１つを除いて遠すぎるとみなされる次の基地局との無線リンクを遮断するステップとを含む。このため、デュプレックスサービスは残りの次の基地局とのみ維持される。このハンドオーバーは、ある無線基準が満たされた場合に行なわれ得る。これらの基準はパラメータで表示することができ、一般に、受信される無線レベルまたはその特性推定量のうちの１つがしきい値条件を満たすか、または特定の間隔に属するかを検証するステップに基づく。
【０００９】
「シングルオペレータ周波数間」事例と呼ばれる第２の事例では、サービスセルと干渉される次のセルとは同じ周波数を共有しないが、同じオペレータによって、協調される態様で管理される。前の事例のように、オペレータは潜在的な不感帯が関連するすべてのセルを制御することができる。特に、オペレータはＵＴＲＡＮネットワークから移動局に、サービスセルを変更し、別の周波数で作動する次のセルのうちの１つへと無線リンクをハンドオーバーするように指示することができる。このハンドオーバーは「ハードな」態様で行なわれ得る。このため、「ハードハンドオーバー」と呼ばれる。この動作は、まず、遠すぎるとみなされる最初のサービス局との無線リンクを遮断し、次に、次の基地局との無線リンクを再確立するステップを含む。ハンドオーバー中、通信は短時間中断される。この中断は、一般に、移動局は同時に２つの無線リンクを２つの異なる周波数上で維持することができないという事実に基づく。このハンドオーバーは、「周波数内」ハンドオーバーに類似した態様で、ある無線基準が満たされた場合に行なわれ得る。「ハードハンドオーバー」メカニズムは、第１の事例にも適用可能であることに注意されたい。
【００１０】
上述の２つの事例以外では、現在のネットワークプランニングはアップリンクおよびダウンリンクの不感帯を減ずることができない。たとえば、サービスセルと次のセルとが異なるオペレータによって管理されている場合、上述のハンドオーバー技術は以下の理由のため使用することができない。
【００１１】
−  オペレータのネットワークは別個の協調されない態様で別々に管理されており、上述の無線リンクハンドオーバー技術のすべてまたは一部を実現するための物理的または論理的、管理的なリンクはそれぞれの固定ネットワーク間に存在しない。
【００１２】
−  経済的な観点から、移動局の現在の通信を管理しているオペレータは、別のオペレータへのハンドオーバーを許可することができない。具体的には、競合するオペレータに有利となって、現在のオペレータは収益を失うことになる。
【００１３】
以下の説明では、この事例は、サービスセルと次のセルとが同じ周波数を共有するか否
かに応じて、それぞれ「マルチオペレータ周波数内」事例、または「マルチオペレータ周波数間」事例と呼ばれる。
【００１４】
同様に、「シングルオペレータ周波数内」または「シングルオペレータ周波数間」事例では、次のセルのうちの少なくとも１つがサービスセルと協調しない態様で管理される場合に、それぞれ、「マルチオペレータ周波数内」または「マルチオペレータ周波数間」事例に相当する事例が再び生じる。そのような事例は、特に、１つの同じゾーングループに１つの同じオペレータのいくつかの異なるタイプのセルが集まっているとき、たとえば、少なくとも１つのピコセルおよび１つのマイクロセルが集まっており、各タイプのセルが独自の別々のネットワークに属するときに見られる。なお、ピコセルは半径が数十メートルのセルに対応し、マイクロセルは半径が数百メートルのセルに対応する。
【００１５】
「マルチオペレータ周波数間」事例が図１に示される。この図では、移動局ＭＳは、アップリンク（すなわち、移動局ＭＳから基地局ＢＳ1へ）に対して周波数ｆ1-UL上でサービス基地局ＢＳ1との無線リンクを維持する。基地局ＢＳ1は、移動局ＭＳが関連づけられるサービスセルと呼ばれるセル内に位置する場合、ダウンリンク（すなわち、基地局ＢＳ1から移動局ＭＳへ）の周波数ｆ1-DL上で全送信パワー（つまり、そのサービスセルのすべての移動局を備えた基地局ＢＳ1のダウンリンクのすべての送信パワーの合計）ＰT_BS1で無線信号を送信する。基地局ＢＳ1から移動局ＭＳへの無線リンクに充てられるパワーは、全送信パワーＰT_BS1より小さい最大レベルＰT_DLに制限される。ダウンリンクの周波数ｆ1-DL上で基地局ＢＳ1から移動局ＭＳに送信される信号の伝搬（または、「経路損失」）によるパワー減衰損失ＰＬ1は、移動局ＭＳによって測定される。同様に、別の通信に使用されるダウンリンクの別の周波数ｆ2-DL上で次の基地局ＢＳ2から移動局ＭＳに送信される信号の伝搬（または、「経路損失」）によるパワー減衰損失ＰＬ2は、移動局ＭＳによって測定される。
【００１６】
移動局ＭＳは、別の移動局ＭＳ′と通信する次の基地局ＢＳ2に近づく。この移動局ＭＳ′はサービスセルの隣にあるセル内に位置し、アップリンク（すなわち、移動局ＭＳ′から基地局ＢＳ2へ）の周波数ｆ2-UL上で次の基地局ＢＳ2と通信する。図１に関して、Ｗ−ＣＤＭＡ電気通信システムで定義されるように、それぞれサービスセルおよび次のセルに関連するアップリンクおよびダウンリンクの周波数ｆ1-UL、ｆ2-UL、ｆ1-DL、ｆ2-DLは、それぞれ異なった一対にされる。次の基地局ＢＳ2は、他の移動局ＭＳ′が次の基地局ＢＳ2に関連づけられるサービスセル内に位置する場合、ダウンリンク（すなわち、次の基地局ＢＳ2から他の移動局ＭＳ′へ）の周波数ｆ2-DL上で全送信パワーＰT_BS2（すなわち、そのサービスセルのすべての移動局を備えた次の基地局ＢＳ2のダウンリンクのすべての送信パワーの合計）で無線信号を送信する。
【００１７】
現在通信している移動局ＭＳが次の基地局ＢＳ2に近づき、サービス基地局ＢＳ1から遠ざかるにつれ、サービス基地局ＢＳ1から移動局ＭＳに送信される信号の伝搬によるパワー減衰損失ＰＬ1は増加する。また、移動局ＭＳのダウンリンクの受信の十分なレベルを維持するために、サービス基地局ＢＳ1は、移動局ＭＳに充てられる信号をダウンリンクの周波数ｆ1-DL上でより強く送信するが、他の点の条件はすべて同じである。言い換えれば、移動局ＭＳがサービスセル外に位置する場合、サービスリンクに充てられる基地局ＢＳ1に関連するダウンリンクの周波数ｆ1-DL上での送信パワーは、徐々に増加し、最大許容レベルＰT_DLに達する。同様に、移動局ＭＳは、アップリンクの周波数ｆ1-UL上でより強く送信することによって、基地局ＢＳ1のアップリンクの受信の十分なレベルを維持する。言い換えれば、周波数ｆ1-UL上での移動局ＭＳからサービス基地局ＢＳ1への送信パワーは最大許容レベルＰT_MSまで増加する。周波数ｆ2-ULで移動局ＭＳからいずれかの次の基地局ＢＳ2に送信される信号の伝搬によるパワー減衰損失は、移動局ＭＳが基地局ＢＳ2に近づくにつれ減少し、移動局ＭＳとサービス基地局ＢＳ1との間のアップリンクの周
波数ｆ1-UL上で次の基地局ＢＳ2によって受信される信号のパワーレベルは増加する。
【００１８】
サービスセルがアップリンク周波数およびダウンリンク周波数ｆ1-UL、ｆ1-DLで作動し、次のセルがそれぞれ異なるアップリンク周波数およびダウンリンク周波数ｆ2-UL、ｆ2-DLで作動すると仮定して、移動局ＭＳおよび次の基地局ＢＳ2の無線周波数要素の挙動が理想的であれば、問題はないであろう。しかしながら、サービスセルに関連するアップリンクの周波数ｆ1-UL上で移動局ＭＳによって送信されるパワーの一部分が、次のセルに関連するアップリンクの隣接する周波数ｆ2-UL上の干渉として次の基地局ＢＳ2によって受信され得ると考えられる。送信および受信の漏れが現に存在し得る。一方、移動局ＭＳのトランスミッタは、隣接帯域上で漏れを生成し得るが、これら「周波数間」漏れは、移動局ＭＳからの送信における隣接チャネル上の拒否率に関連する、ＡＣＬＲ（隣接チャネル漏れパワー比を表わす）と表わされるパラメータによって制限される。このパラメータは、３ＧＰＰ推奨規格ＴＳ  ２５．１０１に定義される。そうでないと示されない場合、以降参照される３ＧＰＰ推奨規格の一節は、２００２年９月のバージョン、９９．４、５および６版の３ＧＰＰ推奨規格に属する。一方、次の基地局ＢＳ2のレシーバは、受信フィルタリングが理想的でないと仮定すると、所望帯域だけでなく隣接帯域からもエネルギを受信する。この欠陥は、次の基地局ＢＳ2による受信における隣接チャネルの選択率に関連する、ＡＣＳ（隣接チャネル選択感度を表わす）と表わされるパラメータによって制限される。このパラメータは、３ＧＰＰ推奨規格ＴＳ  ２５．１０４に定義される。
【００１９】
結果として、ｆ2-ULと表わされるアップリンク周波数を使用する他の移動局ＭＳ′と基地局ＢＳ2との間のアップリンク上では、基地局ＢＳ2によって受信され、かつ移動局ＭＳによって生成される干渉ＩMS->BS2は、
【００２０】
【数１】
2004166273.tif 000003
【００２１】
に等しく、ここで、
−  ＰＬ2は、アップリンク周波数ｆ2-UL上での移動局ＭＳと次の基地局ＢＳ2との間の信号の伝搬によるパワー減衰損失を表わし、これは負である。この量は、ｄＢで表わされるときは負である。これら減衰損失は、以下に詳細に述べるようにｄＢで示される場合の符号を除いて、３ＧＰＰ推奨規格２５．３３１に定義される。
【００２２】
−  ＰT_MSは移動局ＭＳのサービス基地局ＢＳ1への送信パワーであり、
【００２３】
【数２】
2004166273.tif 000004
【００２４】
である。ここで、
−  ＡＣＬＲMS（ＡＣＬＲMS_dB＞０）は、移動局ＭＳからの送信における隣接チャネル上の拒否率であり、
−  ＡＣＳBS2（ＡＣＳBS2_dB＞０）は、次の基地局ＢＳ2による受信における近隣チャネルの選択率である。
【００２５】
同じ態様で、ｆ1-DLと表わされるダウンリンク周波数を使用する基地局ＢＳ1と移動局ＭＳとの間のダウンリンク上では、移動局ＭＳによって受信され、かつ基地局ＢＳ2によ
って生成される干渉ＩBS2->MSは、
【００２６】
【数３】
2004166273.tif 000005
【００２７】
に等しく、
【００２８】
【数４】
2004166273.tif 000006
【００２９】
である。ここで、
−  ＡＣＬＲBS2（ＡＣＬＲBS2_dB＞０）は、次の基地局ＢＳ2からの送信における隣接チャネル上の拒否率であり、
−  ＡＣＳMS（ＡＣＳMS_dB＞０）は、移動局ＭＳによる周波数間受信における隣接チャネルの選択率である。
【００３０】
移動局ＭＳが基地局ＢＳ2に近づくにつれ、次の基地局ＢＳ2によって移動局ＭＳに生成される干渉ＩBS2->MSおよびＩMS->BS2は逆に増加する。図１では、移動局ＭＳに関連し、移動局ＭＳによって次の基地局ＢＳ2に生成されるアップリンクブラインドゾーンは、後者の局のまわりの一点鎖線によって縁取られている。移動局ＭＳによって基地局ＢＳ2のアップリンクに生成され、基地局ＢＳ2に関連するアップリンク不感帯は、ハッチングをかけられた環によって示され、次の基地局ＢＳ2の範囲のゾーンの「ブリージング」を表わす。連続した線によるハッチングをかけられた環の外円は、移動局ＭＳがない場合の全送信パワーＰT_BS2に関連づけられる基地局ＢＳ2の範囲の公称ゾーンに対応する。この例では、移動局ＭＳはアップリンクブラインドゾーンで送信するため、アップリンク不感帯に位置する移動局ＭＳ′は、基地局ＢＳ2との通信を維持することができない。次の基地局ＢＳ2に関連し、次の基地局ＢＳ2によってサービス基地局ＢＳ1のダウンリンクに生成されるダウンリンクブラインドゾーンは、図１の破線で描かれた円で示される。さらに、サービス基地局ＢＳ1に関連し、次の基地局ＢＳ2の他の移動局ＭＳ′とのダウンリンクによって生成されるダウンリンク不感帯は、次の基地局ＢＳ2によって干渉されるサービスセルＢＳ1の無線範囲の変化として定義される。この変化は、アップリンク不感帯と類似の態様で、「タイル」の形の環を示す線によって表わされ、サービス基地局ＢＳ1のセルの範囲のブリージングを表わす。
【００３１】
この例では、アップリンクブラインドゾーンはダウンリンクブラインドゾーンより大きい。逆の事例もあり得る。
【００３２】
この発明の目的は、「マルチオペレータ周波数間もしくは周波数内」事例または同等の事例のアップリンクおよび／またはダウンリンク不感帯を減じることを可能にする方法を提案することである。すなわち、いくつかの次の基地局がそれぞれのネットワークによって管理され、従来の技術、特に無線リンクハンドオーバーの実現を可能にする管理リンクがそれらの間にないゾーン内でのアップリンクおよび／またはダウンリンク不感帯を減じることを可能にする方法を提案することである。
【００３３】
この発明によると、オペレータが移動局のフリートを設定して、設定された移動局によって生成される通信がそのオペレータによって管理されるセルの隣のセル内の通信を妨害
しないようにすることが提案され、次のセルは、少なくとも１つの他のオペレータによって管理され得る。したがって、移動局が、それが通信している基地局に関連づけられるセル（サービスセルとも称される）の隣にあるセルのレベルでアップリンク不感帯を作りそうになると、この発明によると、アップリンクおよび／またはダウンリンクを遮断することによって、この移動局とそのサービス局との間の無線リンクを遮断するための備えがある。
【課題を解決するための手段】
【００３４】
この発明は、少なくとも１つの基地局および／または少なくとも１つの第２の基地局に関して、少なくとも１つの不感帯を減ずる方法を提案し、上記少なくとも１つの第２の基地局は上記第１の基地局の付近にあり、少なくとも１つの第１の周波数上で上記第１の基地局と現在通信している第１の移動局が、第２の移動局と呼ばれる、少なくとも１つの第２の周波数上で上記第２の基地局と通信している少なくとも１つの他の移動局と通信している上記第２の基地局に近づくとき、上記方法は、
−  上記第１の移動局によって、少なくとも１つの第１および／または第２のパラメータを推定するステップを含み、上記第１のパラメータは、第３の周波数上で上記第１の基地局によって送信され、かつ上記第１の移動局によって受信される信号の受信特性を表わし、上記第２のパラメータは、第４の周波数上で上記第２の基地局によって送信され、かつ上記第１の移動局によって受信される信号の受信の特性を表わし、上記方法はさらに、
−  少なくとも上記第１の移動局によって、第３のパラメータを決定するステップを含み、上記第３のパラメータは、上記少なくとも１つの第１の推定されるパラメータおよび／または１つの第２の推定されるパラメータに依存し、上記方法はさらに、
−  上記決定された第３のパラメータの値を第１の予め定められたしきい値と比較するステップを含み、上記第１のしきい値は、少なくとも上記第２の周波数に対する上記第２の移動局と上記第２の基地局との間のアップリンク上の不感帯を表わし、上記アップリンク不感帯は上記少なくとも１つの第２の基地局に関連し、および／または、上記方法はさらに、
−  上記決定された第３のパラメータの値を第２の予め定められたしきい値と比較するステップを含み、上記第２のしきい値は、少なくとも上記第３の周波数に対する上記第１の基地局と上記第１の移動局との間のダウンリンク上の不感帯を表わし、上記不感帯はダウンリンク不感帯と称され、上記ダウンリンク不感帯は少なくとも上記第１の基地局に関連し、上記第３のパラメータの値が上記第１のしきい値および／または上記第２のしきい値を超えた場合、上記第１の基地局は、少なくとも上記第１の周波数および／または上記第３の周波数上で実現される上記第１の移動局と上記第１の基地局との間の無線リンクを遮断する。
【００３５】
したがって、現在通信している移動局とそのサービス局との間の無線リンクを遮断することにより、第１の移動局ＭＳから第１の基地局ＢＳ1に送信されるパワーはゼロになり、第１の移動局ＭＳによる第２の基地局ＢＳ2に関連づけられるセルの無線範囲の劣化はなくなる。
【００３６】
第１、第２および第３のパラメータは、特に、いくつかのタイプの単位によってさまざまに表現し得る。第１の実施例によると、これら受信特性パラメータは、ｄＢまたはｄＢｍの単位で表現され、第３のパラメータは特に、いわゆる幾何学的因子などの第１および第２の推定されるパラメータの差を表わし得、ｄＢで表現される。なお、ｄＢで表現される差または加算は、それぞれ、比または線形的な積に対応する。そのような実施例によると、第３のパラメータの値が、アップリンク不感帯を表わす第１のしきい値および／またはダウンリンク不感帯を表わす第２のしきい値を超える場合、移動局はサービス基地局とのアップリンクおよび／またはダウンリンクを遮断する。
【００３７】
この発明のどの実施例でも、「第３のパラメータの値が第１および／または第２のしきい値を超える場合に」という表現中の「超える」という言葉は、考慮される各しきい値を下回るか、または上回ることを意味するものと理解される。
【００３８】
したがって、特に第１、第２および第３のパラメータを表現し得る多様性のため、当業者は、この発明に複数の実施例があることを容易に理解するであろう。
【００３９】
Ｗ−ＣＤＭＡ電気通信システムのフレームワーク内では、第１の移動局およびサービス基地局は、アップリンクについては第１の周波数ｆ1-UL上で、ダウンリンクについては第３の周波数ｆ1-DL上で通信し、第３の周波数は、第１の周波数と対となる周波数に対応する。さらに、他の電気通信システム（Ｗ−ＣＤＭＡ２０００および非対称Ｗ−ＣＤＭＡなど）では、第３の周波数は第１の周波数と対となる周波数ではなく、予め定められた別の周波数である。
【００４０】
当業者による識別を容易にするため、この発明の他の有利な特徴を具体的に述べる前に、以下で使用されるいくつかの技術用語を説明する。
【００４１】
ＣＰＩＣＨは、「共通パイロットチャネル（Common Pilot Channel）」を表わすために使用される。
【００４２】
ＰＣＣＰＣＨは、「第１の共通制御物理的チャネル（Primary Common Control Physical Channel）」を表わすために使用される。
【００４３】
この発明の方法の一実施例によると、上記第１および第２の推定されるパラメータは、１つの同じタイプの測定値によって表現され、上記測定値のタイプは、
−  予め定められた第１の物理的なチャネルに特有であり、チップごとに受信される平均エネルギを対応する無線帯域で受信される干渉のパワースペクトル密度によって除した測定値であって、第１の測定値と称され、ｄＢで表現され、３ＧＰＰ推奨規格  ＴＳ  ２５．２１５の基準のＣＰＩＣＨ−Ｅｃ／Ｎｏの下で定義される測定値と、
−  上記予め定められた第１の物理的なチャネルに特有であり、上記第１の物理的なチャネルの予め定められた符号に対して受信される信号のパワーの測定値であって、第２の測定値と称され、３ＧＰＰ推奨規格  ＴＳ  ２５．２１５の基準のＣＰＩＣＨ−ＲＳＣＰ（受信信号符号パワーを示す）の下に定義されるｄＢｍまたはｍＷで表現される測定値と、
予め定められた第２の物理的なチャネルに特有であり、上記第２の物理的なチャネルの予め定められた符号に対して受信される信号のパワーの測定値であって、第３の測定値と称され、３ＧＰＰ推奨規格  ＴＳ  ２５．２１５の基準のＰＣＣＰＣＨ−ＲＳＣＰの下に定義されるｄＢｍまたはｍＷで表現される測定値と、
−  第４の測定値と称され、ｄＢで表現される、送信される信号の伝搬によるパワー減衰損失の測定値とを含むグループに属する。
【００４４】
送信される信号の伝搬による減衰損失の測定値は、次のように、ＲＲＣ  ３ＧＰＰ推奨規格  ＴＳ  ２５．３３１のパラグラフ１４．２．０ａで定義される。
【００４５】
伝搬損失＝第１のＣＰＩＣＨチャネルの送信パワー  −  ＣＰＩＣＨ−ＲＳＣＰ（ｄＢ単位）
この説明の残りの部分では、基準ＰＬ（「経路損失」を表わす）によって表わされる、送信される信号の伝搬によるパワー減衰損失は、この大きさがｄＢで表現されるときの符号を別として、この定義に従うことに注意されたい。これは、明確にＰＬ_dB＜０にするため、つまり、関連の基地局によって送信される信号の伝搬によるパワー減衰損失による
負の利得を有するための異なる表記上の決まりである。しかしながら、このことによって、３ＧＰＰ  ＴＳ２５．３３１で定義されるパラメータＰＬの物理的な重要性は何ら変わらない。
【００４６】
測定値の上記タイプが上記第４の測定値（ＰＬで表わされる）であるとき、上記第１のしきい値は、次の式に従って決定される。
【００４７】
【数５】
2004166273.tif 000007
【００４８】
ここで、
−  ＰＬtarget_ULは、次の式に従って決定されるアップリンク上で送信される信号の伝搬によるパワー減衰損失を表わすパラメータである。
【００４９】
【数６】
2004166273.tif 000008
【００５０】
ここで、
【００５１】
【数７】
2004166273.tif 000009
【００５２】
は、上記第１の移動局からのアップリンク上のサービス特性目標値であり、
−  ＩBS1は、上記第１の基地局によってサービスを提供されるセル上の干渉の全レベルであり、
−  ＩBS2は、上記第２の基地局によってサービスを提供されるセル上の干渉の全レベルであり、
−  ｘは、アップリンク不感帯減少パラメータであり、
−  ＡＣＩＲULは、次の式に従って決定されるアップリンク上の隣接チャネルの干渉率である。
【００５３】
【数８】
2004166273.tif 000010
【００５４】
ここで、
−  ＡＣＬＲMSは、上記第１の移動局からの送信における隣接チャネル上の拒否率であ
り、
−  ＡＣＳBS2は、上記第２の基地局による受信における隣接チャネルの選択率であり、
−  Ｈ１ULおよびＨ２ULは、それぞれ上記第１および第２の基地局のアップリンクに関連するヒステリシスパラメータであり、上記ヒステリシスパラメータは、上記第１のしきい値の計算に対するトリガマージンを与えるためのものであり、および／または、
上記第２のしきい値は、次の式に従って決定される。
【００５５】
【数９】
2004166273.tif 000011
【００５６】
ここで、
−  ＰＬtarget_DLは、次の式に従って決定されるダウンリンク上で送信される信号の伝搬によるパワー減衰損失を表わすパラメータである。
【００５７】
【数１０】
2004166273.tif 000012
【００５８】
ここで、
【００５９】
【数１１】
2004166273.tif 000013
【００６０】
は、上記第１の移動局へのダウンリンク上のサービス特性目標値であり、
−  ＰT_BS2は、上記第２の基地局によってサービスを提供されるセル上で送信される全パワーのレベルであり、
−  ＰT_DLは、上記第１の移動局と第１の基地局との間のダウンリンク上で許容される、上記第１の基地局による送信パワーの最大レベルであり、
−  ｚは、ダウンリンク不感帯パラメータであり、
−  Ｈ１DLおよびＨ２DLは、それぞれ上記第１および第２の基地局のダウンリンクに関連するヒステリシスパラメータであり、上記ヒステリシスパラメータは、上記第２のしきい値の計算に対するトリガマージンを与えるためのものであり、
−  ＡＣＩＲDLは、次の式に従って決定されるダウンリンク上の隣接チャネル上の干渉率である。
【００６１】
【数１２】
2004166273.tif 000014
【００６２】
ここで、
−  ＡＣＬＲBS2は、上記第２の基地局からの送信における隣接チャネル上の拒否率であり、
−  ＡＣＳMSは、上記第１の移動局による受信における隣接チャネルの選択率である。
【００６３】
上記測定値のタイプが上記第３の測定値であるとき、上記第１のしきい値（Ｔtartet_UL）は、次の式に従って決定される。
【００６４】
【数１３】
2004166273.tif 000015
【００６５】
ここで、
−  ＴＸ＿ＰＣＣＰＣＨBS1は、上記第１の基地局からの上記第２の物理的なチャネルの送信パワーのレベルであり、
−  ＴＸ＿ＰＣＣＰＣＨBS2は、上記第２の基地局からの上記第２の物理的なチャネルの送信パワーのレベルであり、
−  Ｈ１ULおよびＨ２ULは、それぞれ上記第１および第２の基地局のアップリンクに関連するヒステリシスパラメータであり、上記ヒステリシスパラメータは、上記第１のしきい値の計算に対するトリガマージンを与えるためのものであり、
−  ＰＬtarget_ULは、次の式に従って決定されるアップリンク上で送信される信号の伝搬によるパワー減衰損失を表わすパラメータである。
【００６６】
【数１４】
2004166273.tif 000016
【００６７】
ここで、
【００６８】
【数１５】
2004166273.tif 000017
【００６９】
は、上記第１の移動局からのアップリンク上のサービス特性目標値であり、
−  ＩBS1は、上記第１の基地局によってサービスを提供されるセル上の干渉の全レベルであり、
−  ＩBS2は、上記第２の基地局によってサービスを提供されるセル上の干渉の全レベルであり、
−  ｘは、アップリンク不感帯減少パラメータであり、
−  ＡＣＩＲULは、次の式に従って決定されるアップリンク上の隣接チャネル上の干渉率である。
【００７０】
【数１６】
2004166273.tif 000018
【００７１】
ここで、
−  ＡＣＬＲMSは、上記第１の移動局からの送信における隣接チャネル上の拒否率であり、
−  ＡＣＳBS2は、上記第２の基地局による受信における隣接チャネルの選択率であり、および／または、
上記第２のしきい値は、次の式に従って決定される。
【００７２】
【数１７】
2004166273.tif 000019
【００７３】
ここで、
−  Ｈ１DLおよびＨ２DLは、それぞれ上記第１および第２の基地局のダウンリンクに関連するヒステリシスパラメータであり、上記ヒステリシスパラメータは、上記第２のしきい値の計算に対するトリガマージンを与えるためのものであり、
−  ＰＬtarget_DLは、次の式に従って決定されるダウンリンク上で送信される信号の伝搬によるパワー減衰損失を表わすパラメータである。
【００７４】
【数１８】
2004166273.tif 000020
【００７５】
ここで、
【００７６】
【数１９】
2004166273.tif 000021
【００７７】
は、上記第１の移動局へのダウンリンク上のサービス特性目標値であり、
−  ＰT_BS2は、上記第２の基地局によってサービスを提供されるセル上で送信される
全パワーのレベルであり、
−  ＰT_DLは、上記第１の移動局と上記第１の基地局との間のダウンリンク上で許容される、上記第１の基地局による送信パワーの最大レベルであり、
−  ｚは、ダウンリンク不感帯パラメータであり、
−  ＡＣＩＲDLは、次の式に従って決定されるダウンリンク上の隣接チャネル上の干渉率である。
【００７８】
【数２０】
2004166273.tif 000022
【００７９】
ここで、
−  ＡＣＬＲBS2は、上記第２の基地局からの送信における隣接チャネル上の拒否率であり、
−  ＡＣＳMSは、上記第１の移動局による受信における隣接チャネルの選択率である。
【００８０】
上記測定値のタイプが上記第２の測定値であるとき、上記第１のしきい値は、次の式に従って決定される。
【００８１】
【数２１】
2004166273.tif 000023
【００８２】
ここで、
−  ＴＸ＿ＣＰＩＣＨBS1は、上記第１の基地局からの上記第１の物理的なチャネルの送信パワーのレベルであり、
−  ＴＸ＿ＣＰＩＣＨBS2は、上記第２の基地局からの上記第１の物理的なチャネルの送信パワーのレベルであり、
−  Ｈ１ULおよびＨ２ULは、それぞれ上記第１および第２の基地局のアップリンクに関連するヒステリシスパラメータであり、上記ヒステリシスパラメータは、上記第１のしきい値の計算に対するトリガマージンを与えるためのものであり、
−  ＰＬtarget_ULは、次の式に従って決定されるアップリンク上の信号の伝搬によるパワー減衰損失を表わすパラメータである。
【００８３】
【数２２】
2004166273.tif 000024
【００８４】
ここで、
【００８５】
【数２３】
2004166273.tif 000025
【００８６】
は、上記第１の移動局からのアップリンク上のサービス特性目標値であり、
−  ＩBS1は、上記第１の基地局によってサービスを提供されるセル上の干渉の全レベルであり、
−  ＩBS2は、上記第２の基地局によってサービスを提供されるセル上の干渉の全レベルであり、
−  ｘは、アップリンク不感帯減少パラメータであり、
−  ＡＣＩＲULは、次の式に従って決定されるアップリンク上の隣接チャネル上の干渉率である。
【００８７】
【数２４】
2004166273.tif 000026
【００８８】
ここで、
−  ＡＣＬＲMSは、上記第１の移動局からの送信における隣接チャネル上の拒否率であり、
−  ＡＣＳBS2は、上記第２の基地局による受信における隣接チャネルの選択率であり、および／または、
上記第２のしきい値は次の式に従って決定される。
【００８９】
【数２５】
2004166273.tif 000027
【００９０】
ここで、
−  Ｈ１DLおよびＨ２DLは、それぞれ上記第１および第２の基地局のダウンリンクに関連するヒステリシスパラメータであり、上記ヒステリシスパラメータは、上記第２のしきい値の計算に対するトリガマージンを与えるためのものであり、
−  ＰＬtarget_DLは、次の式に従って決定されるダウンリンク上で送信される信号の伝搬によるパワー減衰損失を表わすパラメータである。
【００９１】
【数２６】
2004166273.tif 000028
【００９２】
ここで、
【００９３】
【数２７】
2004166273.tif 000029
【００９４】
は、上記第１の移動局へのダウンリンク上のサービス特性目標値であり、
−  ＰT_BS2は、上記第２の基地局によってサービスを提供されるセル上で送信される全パワーのレベルであり、
−  ＰT_DLは、上記第１の移動局と上記第１の基地局との間のダウンリンク上で許容される、上記第１の基地局による送信パワーの最大レベルであり、
−  ｚは、ダウンリンク不感帯パラメータであり、
−  ＡＣＩＲDLは、次の式に従って決定されるダウンリンク上の隣接チャネル上の干渉率である。
【００９５】
【数２８】
2004166273.tif 000030
【００９６】
ここで、
−  ＡＣＬＲBS2は、上記第２の基地局からの送信における隣接チャネル上の拒否率であり、
−  ＡＣＳMSは、上記第１の移動局による受信における隣接チャネルの選択率である。
【００９７】
上記測定値のタイプが上記第１の測定値であるとき、上記第１のしきい値は、次の式に従って決定される。
【００９８】
【数２９】
2004166273.tif 000031
【００９９】
ここで、
−  ＴＸ＿ＣＰＩＣＨBS1は、上記第１の基地局からの上記第１の物理的なチャネルの送信パワーのレベルであり、
−  ＴＸ＿ＣＰＩＣＨBS2は、上記第２の基地局からの上記第１の物理的なチャネルの送信パワーのレベルであり、
−  ＲＳＳＩBS1は、上記第１の基地局から受信される広帯域パワーのレベルであり、
−  ＲＳＳＩBS2は、上記第２の基地局から受信される広帯域パワーのレベルであり、
−  Ｈ１ULおよびＨ２ULは、それぞれ上記第１および第２の基地局のアップリンクに関連するヒステリシスパラメータであり、上記ヒステリシスパラメータは上記第１のしきい値の計算に対するトリガマージンを与えるためのものであり、
−  ＰＬtarget_ULは、次の式に従って決定されるアップリンク上で送信される信号の伝搬によるパワー減衰損失を表わすパラメータである。
【０１００】
【数３０】
2004166273.tif 000032
【０１０１】
ここで、
【０１０２】
【数３１】
2004166273.tif 000033
【０１０３】
は、上記第１の移動局からのアップリンク上のサービス特性目標値であり、
−  ＩBS1は、上記第１の基地局によってサービスを提供されるセル上の干渉の全レベルであり、
−  ＩBS2は、上記第２の基地局によってサービスを提供されるセル上の干渉の全レベルであり、
−  ｘは、アップリンク不感帯減少パラメータであり、
−  ＡＣＩＲULは、次の式に従って決定されるアップリンク上の隣接チャネル上の干渉率である。
【０１０４】
【数３２】
2004166273.tif 000034
【０１０５】
ここで、
−  ＡＣＬＲMSは、上記第１の移動局からの送信における隣接チャネル上の拒否率であり、
−  ＡＣＳBS2は、上記第２の基地局による受信における隣接チャネルの選択率であり、および／または、
上記第２のしきい値は、次の式に従って決定される。
【０１０６】
【数３３】
2004166273.tif 000035
【０１０７】
ここで、
−  Ｈ１DLおよびＨ２DLは、それぞれ上記第１および第２の基地局のダウンリンクに関連するヒステリシスパラメータであり、上記ヒステリシスパラメータは、上記第２のしきい値の計算に対するトリガマージンを与えるためのものであり、
−  ＰＬtarget_DLは、次の式に従って決定されるダウンリンク上の信号の伝搬による
パワー減衰損失を表わすパラメータである。
【０１０８】
【数３４】
2004166273.tif 000036
【０１０９】
ここで、
【０１１０】
【数３５】
2004166273.tif 000037
【０１１１】
は、上記第１の移動局へのダウンリンク上のサービス特性目標値であり、
−  ＰT_BS2は、上記第２の基地局によってサービスを提供されるセル上で送信される全パワーのレベルであり、
−  ＰT_DLは、上記第１の移動局と上記第１の基地局との間のダウンリンク上で許容される、上記第１の基地局による送信パワーの最大レベルであり、
−  ｚは、ダウンリンク不感帯パラメータであり、
−  ＡＣＩＲDLは、次の式に従って決定されるダウンリンク上の隣接チャネル上の干渉率である。
【０１１２】
【数３６】
2004166273.tif 000038
【０１１３】
ここで、
−  ＡＣＬＲBS2は、上記第２の基地局からの送信における隣接チャネル上の拒否率であり、
−  ＡＣＳMSは、上記第１の移動局による受信における隣接チャネルの選択率である。
【０１１４】
上記第１および第２の基地局のアップリンクおよび／またはダウンリンクに関連する上記ヒステリシスパラメータの値は、ゼロでないことが好ましい。
【０１１５】
この方法は、さらに、上記第１の移動局によって、上記第１の移動局からの送信における隣接チャネル上の拒否率を記憶するためのステップを含むようにするのが好ましく、隣接チャネル上の上記拒否率は、上記第１の移動局に特有であり、上記方法は、次の式に従ってアップリンク上の隣接チャネル上の上記干渉率を決定するステップを含むことが好ましい。
【０１１６】
【数３７】
2004166273.tif 000039
【０１１７】
ここで、ＡＣＳBS2は、上記第２の基地局による受信における隣接チャネルの選択率であり、および／または、上記方法は、
−  上記第１の移動局によって、上記第１の移動局による受信における隣接チャネルの選択率を記憶するステップをさらに含み、隣接チャネルの上記選択率は、上記第１の移動局に特有であり、上記方法はさらに、次の式によってダウンリンク上の隣接チャネル上の上記干渉率を決定するステップを含むことが好ましい。
【０１１８】
【数３８】
2004166273.tif 000040
【０１１９】
ここで、ＡＣＬＲBS2は、上記第２の基地局からの送信における隣接チャネル上の拒否率である。
【０１２０】
上記第１の基地局が、上記第１の移動局を設定するための少なくとも１つの第１の設定メッセージを含む信号を上記第１の移動局に送信するようにすることが有利であり、上記第１の設定メッセージは少なくとも１つの第１の情報要素を含み、上記少なくとも１つの情報要素は少なくとも１つのパラメータを表わし、このパラメータは、
−  上記第１の移動局からのアップリンク上の上記サービス特性目標値と、
−  上記第１の基地局によってサービスを提供されるセル上で許容される上記全干渉レベルと、
−  上記第２の基地局によってサービスを提供されるセル上で許容される上記全干渉レベルと、
−  上記アップリンク不感帯減少パラメータと、
−  上記第１の移動局からの送信における上記第２の基地局による隣接チャネル上の上記拒否率と、
−  上記第２の基地局による受信における隣接チャネルの上記選択率と、
−  上記第１のしきい値とを含むグループに属し、および／または、
上記第１の基地局が、上記第１の移動局を設定するための少なくとも１つの第２の設定メッセージを含む信号を上記第１の移動局に送信することが好ましく、上記第２の設定メッセージは、少なくとも１つの第２の情報要素を含み、上記少なくとも１つの第２の情報要素は、少なくとも１つのパラメータを表わし、このパラメータは、
−  上記第１の移動局へのダウンリンク上の上記サービス特性目標値と、
−  上記第２の基地局によってサービスを提供されるセル上で送信される上記全パワーのレベルと、
−  上記第１の移動局と上記第１の基地局との間のダウンリンク上で許容される、上記第１の基地局による上記送信パワーの最大レベルと、
−  上記ダウンリンク不感帯減少パラメータと、
−  上記第１の移動局による受信における隣接チャネルの上記選択率と、
−  上記第２の基地局からの送信における隣接チャネル上の上記拒否率と、
−  上記第２のしきい値と、
−  第２の最大のしきい値とを含むグループに属する。
【０１２１】
一実施例によると、上記第１の基地局は、上記第１の移動局に、上記第１の移動局を設定するための少なくとも１つの第３の設定メッセージを含む信号を送信するようにされ、上記第３の設定メッセージは少なくとも１つの第３の情報要素を含み、上記少なくとも１つの第３の情報要素は、次の式に従って決定される第１の中間しきい値を表わす。
【０１２２】
【数３９】
2004166273.tif 000041
【０１２３】
であって、
−  上記第１のしきい値の決定は、上記第１の移動局によって、記憶されたアップリンクの隣接チャネル上の上記拒否率と上記第１の中間しきい値とを加えることを含み、ｄＢで表わされ、および／または、
−  上記第１の基地局は、上記第１の移動局を設定するための少なくとも１つの第４の設定メッセージを含む信号を上記第１の移動局に送信し、上記第４の設定メッセージは少なくとも１つの第４の情報要素を含み、上記少なくとも１つの第４の情報要素は、次の式に従って決定される第２の中間しきい値を表わす。
【０１２４】
【数４０】
2004166273.tif 000042
【０１２５】
であって、
−  上記第２のしきい値の決定は、上記第１の移動局によって、上記第１の移動局による受信における隣接チャネル上の上記干渉率と上記第２の中間しきい値とを加えることを含み、ｄＢで表わされる。
【０１２６】
一実施例によると、上記第１の移動局は、少なくとも１つの第５の設定メッセージを含む信号を上記第１の基地局に送信し、上記第５の設定メッセージは少なくとも１つの第５の情報要素を含み、上記少なくとも１つの第５の情報要素は、上記第１の移動局に特有な記憶された隣接チャネル上の上記拒否率を表わし、上記第１の基地局は、隣接チャネル上の上記特有の拒否率との関数として上記第１のしきい値を決定し、上記第１のしきい値を上記第１の移動局に送信し、および／または、
上記第１の移動局は、少なくとも１つの第６の設定メッセージを含む信号を上記第１の基地局に送信し、上記第６のメッセージは少なくとも１つの第６の情報要素を含み、上記少なくとも１つの第６の情報要素は、上記第１の移動局に特有の隣接チャネルの上記選択率を表わし、上記第１の基地局は、隣接チャネルの上記特有の選択率の関数として上記第２のしきい値を決定し、上記第２のしきい値を上記第１の移動局に送信する。
【０１２７】
有利には、少なくとも上記第１のしきい値および／または上記第２のしきい値は、それぞれ上記第１および第２の基地局に関連する少なくとも第１および第２の部分的なしきい値に分割され、ｄＢで表わされるその差は、上記第１および／または第２のしきい値にそれぞれ等しく、上記第１の基地局は、上記第１の移動局を設定するための少なくとも１つの第７の設定メッセージを含む信号を上記第１の移動局に送信し、上記第７の設定メッセージは少なくとも１つの第７の情報要素を含み、上記少なくとも１つの第７の情報要素は、少なくとも１つのパラメータを表わし、このパラメータは、
−  上記第２の基地局に関連するアップリンク不感帯に関連する上記第１の部分的なしきい値と、
−  上記第１の基地局に関連するダウンリンク不感帯に関連する上記第１の部分的なしきい値と、
−  上記第２の基地局に関連するアップリンク不感帯に関連する上記第２の部分的なし
きい値と、
−  上記第１の基地局に関連するダウンリンク不感帯に関連する上記第２の部分的なしきい値と、
−  上記第２の基地局に関連するアップリンク不感帯に関連する第１の最大の部分的なしきい値と、
−  上記第１の基地局に関連するダウンリンク不感帯に関連する第１の最大の部分的なしきい値とを含むグループに属する。
【０１２８】
ある所与の基地局に関連するしきい値は部分的なものであれ、それ以外のものであれ、対象の周波数の関数として決定することができることに注意されたい。したがって、たとえば、第１の基地局に関連する第１の部分的なしきい値は、第１の周波数および／または第３の周波数を考慮することにより決定することができる。
【０１２９】
一実施例によると、上記第７の設定メッセージは、上記第１の周波数に関連する上記第１の最大の部分的なしきい値を含み、上記方法はさらに、
−  上記第１の移動局に上記第１のしきい値を与えるステップと、
−  上記第１の移動局によって、上記第２の基地局に関連するアップリンク不感帯に関連する上記第１の最大の部分的なしきい値を、上記第２の基地局に関連するアップリンク不感帯に関連する第１の部分的なしきい値として使用するステップと、
−  上記第１の移動局によって、上記第２の基地局に関連するアップリンク不感帯に関連する上記第２の部分的なしきい値を決定するステップとを含み、および／または、上記第７の設定メッセージは、上記第１の基地局に関連するダウンリンク不感帯に関連する上記第１の最大の部分的なしきい値を含み、上記方法はさらに、
−  上記第１の移動局に上記第２のしきい値を与えるステップと、
−  上記第１の移動局によって、上記第１の基地局に関連するダウンリンク不感帯に関連する上記第１の最大の部分的なしきい値を、上記第１の基地局に関連するダウンリンク不感帯に関連する第１の部分的なしきい値として使用するステップと、
−  上記第１の移動局によって、上記第１の基地局に関連するダウンリンク不感帯に関連する上記第２の部分的なしきい値を決定するステップとを含む。
【０１３０】
好ましくは、上記比較するステップは、上記第１および第２のパラメータの値を、それぞれ上記第１および第２の基地局にそれぞれ関連する上記第１および第２の部分的なしきい値と比較するステップを含み、少なくとも上記第１の周波数および／または上記第３の周波数上で実現される上記無線リンクは、
−  上記第１のパラメータの値が、上記第１の基地局に関連する上記ダウンリンク不感帯に関連する上記第１の部分的なしきい値を下回り、かつ上記第２のパラメータの値が、上記第１の基地局に関連する上記ダウンリンク不感帯に関連する上記第２の部分的なしきい値を上回るとき、および／または、
−  上記第１のパラメータの値が、上記第２の基地局に関連するアップリンク不感帯に関連する上記第１の部分的なしきい値を下回り、かつ上記第２のパラメータの値が、上記第２の基地局に関連するアップリンク不感帯に関連する上記第２の部分的なしきい値を上回るときに、遮断される。
【０１３１】
有利には、上記比較するステップを実行するために、上記第１の基地局は、上記第１の移動局を設定するための第８の設定メッセージを含む信号を上記第１の移動局に事前に送信する。上記第８の設定メッセージは、少なくとも１つの第８の情報要素を含み、上記少なくとも１つの第８の情報要素は、上記第１の移動局と上記第１の基地局との間の上記無線リンクの遮断に関連する少なくとも１つのイベントを表わし、上記少なくとも１つのイベントは、タイプ１ｅのイベント、タイプ１ｆのイベント、タイプ２ａのイベント、タイプ２ｂのイベント、タイプ２ｃのイベントおよびタイプ２ｄのイベントを含むグループに
属し、これらイベントは、３ＧＰＰ推奨規格  ＴＳ  ２５．３３１に定義される。
【０１３２】
上記第１の移動局と上記第１の基地局との間の上記無線リンクを遮断するために、上記第１の移動局が無線リンク障害手続を行なうことが好ましい。
【０１３３】
一実施例によると、上記第１の移動局は、信号を受取った後に上記第１の基地局との上記無線リンクを遮断する。上記信号は、上記第１の移動局を設定するための少なくとも１つの第９の設定メッセージを含み、上記第９の設定メッセージは、少なくとも１つの第９の情報要素を含み、上記少なくとも１つの第９の情報要素は、上記第１の移動局が上記無線リンクを遮断することを可能にする。
【０１３４】
有利には、上記方法は、上記第８のメッセージを含む信号を送信した後であって、かつ上記第１の基地局と上記第１の移動局との間の無線リンクの遮断の前に、
−  上記第１の基地局から上記第１の移動局に、少なくとも１つのメッセージを送信するステップを含み、上記少なくとも１つのメッセージは、
−  無線ベアラ再設定メッセージと、
−  無線ベアラ解除メッセージと、
−  トランスポートチャネル再設定メッセージと、
−  物理的なチャネル再設定メッセージとを含むグループに属し、これらメッセージは、３ＧＰＰ推奨規格ＴＳ  ２５．３３１に定義される。
【０１３５】
好ましくは、上記無線リンク障害手続を行なうために、上記第１の基地局は、上記第１の移動局に第１０の設定メッセージを含む信号を事前に送信し、上記第１０の設定メッセージは少なくとも１つの第１０の情報要素を含み、上記少なくとも１つの第１０の情報要素の値は、上記無線リンク障害手続の活性化または不活性化を表わす。
【０１３６】
有利には、上記第１０の設定メッセージは、少なくとも１つの第１１の情報要素をさらに含み、上記少なくとも１つの第１１の情報要素の値は、上記無線リンク障害手続を行なう上記少なくとも１つのイベントのタイプを表わす。
【０１３７】
一実施例によると、少なくとも１つのイベントに関連する上記第８の設定メッセージの上記第１の移動局への送信は、上記第２の基地局に関連するアップリンク不感帯ゾーン、および／または上記第１の基地局に関連するダウンリンク不感帯であるかもしれないゾーンに上記第１の移動局が存在する場合にのみ実行される。
【０１３８】
有利には、上記第１の移動局と上記第１の基地局との間の上記無線リンクを遮断する前に、上記第１の移動局は、少なくとも上記第１および第２の推定されるパラメータを上記第１の基地局に送信し、これらパラメータは、上記第１および第２の基地局から上記第１の基地局に上記第３および第４の周波数上で送信される信号の受信の特性を表わす。
【０１３９】
この発明の主題は、複数の基地局および移動局を含む移動体電気通信システムでもあり、少なくとも１つの基地局および少なくとも１つの移動局が、周波数分割デュプレックスモードおよび／または広帯域符号分割多重アクセスで通信するために実現され、上記移動体電気通信システムは、上述のように、第１の基地局および／または少なくとも１つの第２の基地局に関して少なくとも１つの不感帯を減ずる方法を実現する。
【０１４０】
この発明は、第１の移動局と称され、少なくとも１つの第１の基地局と少なくとも１つの第１の周波数上で通信するための手段を含み、かつ少なくとも１つの第２の基地局が上記第１の基地局の隣にあるタイプの移動局に関し、第２の移動局と称される、少なくとも１つの他の移動局は、少なくとも１つの第２の周波数上で上記第２の基地局と通信し、上
記第１の移動局は、
−  少なくとも１つの第１および／または１つの第２のパラメータを推定する手段を含み、上記第１のパラメータは、第３の周波数上で上記第１の基地局によって送信され、かつ上記第１の移動局によって受信される信号の受信の特性を表わし、上記第２のパラメータは、第４の周波数上で上記第２の基地局によって送信され、かつ上記第１の移動局によって受信される信号の受信の特性を表わし、上記第１の移動局はさらに、
−  第３のパラメータを決定する手段を含み、上記第３のパラメータは、上記少なくとも１つの第１の推定されるパラメータおよび／または１つの第２の推定されるパラメータに依存し、上記第１の移動局はさらに、
−  上記第３の決定されたパラメータの値を予め定められた第１のしきい値と比較する手段を含み、上記第１のしきい値は、少なくとも上記第２の周波数に対する上記第２の移動局と上記第２の基地局との間のアップリンク上の不感帯を表わし、上記不感帯はアップリンク不感帯と称され、上記アップリンク不感帯は、上記少なくとも１つの第２の基地局に関連し、および／または、上記第１の移動局はさらに、
−  上記第３の決定されたパラメータの値を予め定められた第２のしきい値と比較する手段を含み、上記第２のしきい値は、少なくとも上記第３の周波数に対する上記第１の基地局と上記第１の移動局との間のダウンリンク上の不感帯を表わし、上記不感帯はダウンリンク不感帯と称され、上記ダウンリンク不感帯は少なくとも上記第１の基地局に関連し、
−  上記第３のパラメータの値が上記第１のしきい値および／または上記第２のしきい値を超える場合に、上記第１の移動局は、少なくとも上記第１の周波数および／または上記第３の周波数上で実現される上記第１の移動局と上記第１の基地局との間の無線リンクを遮断する。
【０１４１】
好ましくは、上記第１の移動局はさらに、
−  上記第１の移動局による送信における隣接チャネル上の拒否率を記憶する手段を含み、隣接チャネル上の上記拒否率は上記第１の移動局に特有であり、および／または、上記第１の移動局はさらに、
−  上記第１の移動局による受信における隣接チャネルの選択率を記憶する手段を含み、隣接チャネルの上記選択率は上記第１の移動局に特有である。
【０１４２】
この発明の他の特徴および利点は、添付の図面を参照した以下の説明を読めば明らかになるであろう。
【発明を実施するための最良の形態】
【０１４３】
この発明を図１のフレームワーク内でさらに詳しく説明するが、この発明の範囲をこの事例に限定することを暗示しない。
【実施例１】
【０１４４】
この発明によると、移動局ＭＳとサービス基地局ＢＳ1との間のアップリンクおよび／またはダウンリンクに関するパラメータに基づく基準を定義することが提案され、この基準は、それらが守られない場合に、移動局ＭＳで無線リンク障害手続を行なう。すると、移動局ＭＳと基地局局ＢＳ1との間のアップリンクおよび／またはダウンリンクは中断される。移動局によってアップリンク上で送信されるパワーがゼロになるとき、移動局ＭＳによる次の基地局ＢＳ2に関連付けられるセルの無線範囲の劣化はなくなる。
【０１４５】
無線リンクのそのような遮断は、実際にはある所与のオペレータの移動局によって行なわれ、考慮される２つのセルによってカバーされるゾーン内にあり得る別のオペレータの複数の移動局にとって有利となる。この競合するあり得るオペレータの移動局のフリートの少なくとも一部によって相互的な態様で適用されるこの手続は、関係するオペレータ（
または２つのオペレータ）にとって有利となる。なぜなら、それによって関与するのオペレータ（または複数のオペレータ）に独自のネットワークの相互的な不感帯が減少するためである。
【０１４６】
この発明の以下の部分では、発明を説明するため、次の表記を使用する。
【０１４７】
・ＰT_MSは、移動局ＭＳによって送信される全パワーである。このパワーはサービスに対して許容される最大パワーでもある。
【０１４８】
・ＰT_BS1は、基地局ＢＳ1によって送信される全パワーであり、これは、基地局ＢＳ1に計画されるトラフィックの全ペイロードに依存する。
【０１４９】
・ＰT_BS2は、基地局ＢＳ2によって送信される全パワーであり、これは、基地局ＢＳ2に計画されるトラフィックの全ペイロードに依存する。
【０１５０】
・ＰT_DLは、ＰT_BS1の一部であり、特に基地局ＢＳ1と移動局ＭＳとの間のダウンリンクで許容される最大送信パワーを表わす。
【０１５１】
・ＰＬ1は、ダウンリンクの周波数ｆ1-DL上の基地局ＢＳ1と移動局ＭＳとの間の信号の伝搬によるパワー減衰損失を表わす。
【０１５２】
・ＰＬ2は、進行中の別の通信に対するダウンリンクの別の周波数ｆ2-DL上の次の基地局ＢＳ2と移動局ＭＳとの間の信号の伝搬によるパワー減衰損失を表わす。
【０１５３】
・ＩMS->BS2は、移動局ＭＳによって生成され、かつ基地局ＢＳ2によって受信される干渉のレベルを表わす。
【０１５４】
・ＩBS2->MSは、基地局ＢＳ2によって生成され、かつ移動局ＭＳによって受信される干渉のレベルを表わす。
【０１５５】
・ＩBS1->MSは、基地局ＢＳ1によって生成され、かつ移動局ＭＳによって受信される干渉のレベルを表わす。
【０１５６】
・ＩBS2は、基地局ＢＳ2によってサービスを提供されるセル上で受信される全レベルを表わす。
【０１５７】
・ＩBS1は、基地局ＢＳ1によってサービスを提供されるセル上で受信される全レベルを表わす。
【０１５８】
この特許文書の式、等式または不等式内のパラメータＧiは、相対デシベルで表現されるか、または無線パワーデシベル（ミリワットに基づく）で表現されるかによって、それぞれＧi_dBまたはＧi_dBmと表わされることに注意されたい。
【０１５９】
移動局ＭＳと基地局ＢＳ1との間のアップリンク上のアップリンク不感帯基準の決定
図１に示されるように、移動局ＭＳが次の基地局ＢＳ2に近づくとき、移動局ＭＳは基地局ＢＳ2への干渉のレベルを徐々に増やす。このことは、基地局ＢＳ2のセルサイズの縮小に繋がり、このセルとサービスを維持し、このセルの無線範囲の境界にある移動局ＭＳ′を徐々に除外する。すると、これら移動局ＭＳは他の次のセルへとハンドオーバーし、これらセルの混雑を引起こす可能性がある。
【０１６０】
ここからは、移動局ＭＳのアップリンクによって生じるアップリンク不感帯の影響について述べる。たとえば、基地局ＢＳ2の干渉のレベルが移動局ＭＳのアップリンクによって、ｙ ｄＢずつ増加するとする。この増加は、次の基地局ＢＳ2のセルの無線範囲を劣化させる。
【０１６１】
基地局ＢＳ2によって受信され、かつ移動局ＭＳによって生成される干渉レベルＩMS->BS2は、基地局ＢＳ2によって受信される干渉の全レベルＩBS2の関数として表現することができる。
【０１６２】
【数４１】
2004166273.tif 000043
【０１６３】
であり、
【０１６４】
【数４２】
2004166273.tif 000044
【０１６５】
である。
【０１６６】
式（１）および（３）を組合せると、
【０１６７】
【数４３】
2004166273.tif 000045
【０１６８】
が得られる。
【０１６９】
移動局の送信パワーＰT_MSは、
【０１７０】
【数４４】
2004166273.tif 000046
【０１７１】
と表わされる、移動局ＭＳと基地局ＢＳ1との間のアップリンクの特性目標値が次の計算式
【０１７２】
【数４５】
2004166273.tif 000047
【０１７３】
の結果の値を上回るように制御される。
【０１７４】
そして、次の不等式が得られる。
【０１７５】
【数４６】
2004166273.tif 000048
【０１７６】
対数表記では、これは次の不等式を与える。
【０１７７】
【数４７】
2004166273.tif 000049
【０１７８】
この不等式は、移動局ＭＳのアップリンクが次の基地局ＢＳ2を少なくともｙ ｄＢだけ妨害する条件を表わす。
【０１７９】
選択される測定値のタイプがＰＬと表わされるパラメータである場合、
【０１８０】
【数４８】
2004166273.tif 000050
【０１８１】
である。
【０１８２】
選択される測定値のタイプがＣＰＩＣＨ−ＲＳＣＰと表わされるパラメータである場合、
【０１８３】
【数４９】
2004166273.tif 000051
【０１８４】
である。
【０１８５】
選択される測定値のタイプがＰＣＣＰＣＨ−ＲＳＣＰと表わされるパラメータである場合、これは上述の不等式のセット中の＜＜ＣＰＩＣＨ＞＞の項を＜＜ＰＣＣＰＣＨ＞＞の項によって置き換えるのに十分であり、
【０１８６】
【数５０】
2004166273.tif 000052
【０１８７】
となる。
【０１８８】
選択される測定値のタイプがＣＰＩＣＨ−Ｅｃ／Ｎｏと表わされるパラメータである場合、
【０１８９】
【数５１】
2004166273.tif 000053
【０１９０】
であり、ここで、
−  ＲＳＳＩBS1は、サービス基地局ＢＳ1によって受信される信号についての受信信号パワーインジケータ（または＜＜受信信号強度インジケータ＞＞）であり、
−  ＲＳＳＩBS2は、次の基地局ＢＳ2によって受信される信号についての受信信号パワーインジケータ（または＜＜受信信号強度インジケータ＞＞）である。
【０１９１】
ＡＣＬＲMSの項と比較して、ＡＣＳBS2の項を無視することができる限り、ＰＬtarget_ULは、
【０１９２】
【数５２】
2004166273.tif 000054
【０１９３】
となる。
【０１９４】
第１の基地局ＢＳ1が、第１の移動局ＭＳに、この移動局ＭＳを設定するための設定メ
ッセージを含む信号を送信するようにしてもよい。このメッセージは、次から選択された少なくとも１つのパラメータを表わす情報要素を含む。
【０１９５】
−第１の移動局ＭＳからのアップリンク上のサービス特性目標値
【０１９６】
【数５３】
2004166273.tif 000055
【０１９７】
−第１の基地局によってサービスを提供されるセル上で許容される全干渉レベルＩBS1
−第２の基地局によってサービスを提供されるセル上で許容される全干渉レベルＩBS2
−アップリンク不感帯減少パラメータｘ
−第１の移動局ＭＳからの送信における第２の基地局による隣接チャネル上の拒否率ＡＣＬＲMS
−第２の基地局ＢＳ2による受信における隣接チャネルの選択率ＡＣＳBS2
−第１のしきい値Ｔtarget_UL。
【０１９８】
基地局ＢＳ1と移動局ＭＳの間とのダウンリンク上のダウンリンク不感帯基準の決定
移動局ＭＳとサービス基地局ＢＳ1との間のダウンリンクに関し、特性目標値
【０１９９】
【数５４】
2004166273.tif 000056
【０２００】
を保持するのに必要とされるパワーレベルが、次の不等式
【０２０１】
【数５５】
2004166273.tif 000057
【０２０２】
を満たさないとき、これは中断される。
【０２０３】
【数５６】
2004166273.tif 000058
【０２０４】
でありかつ
【０２０５】
【数５７】
2004166273.tif 000059
【０２０６】
であるとすると、
【０２０７】
【数５８】
2004166273.tif 000060
【０２０８】
であり、ここで、Ｎ0はバックグラウンドノイズレベルであり、βはダウンリンクの直交性係数である。
【０２０９】
したがって、
【０２１０】
【数５９】
2004166273.tif 000061
【０２１１】
であって、
【０２１２】
【数６０】
2004166273.tif 000062
【０２１３】
であり、
【０２１４】
【数６１】
2004166273.tif 000063
【０２１５】
であって、
【０２１６】
【数６２】
2004166273.tif 000064
【０２１７】
が得られる。
【０２１８】
【数６３】
2004166273.tif 000065
【０２１９】
の項に関して
【０２２０】
【数６４】
2004166273.tif 000066
【０２２１】
の項を無視すると、対数表記で、
【０２２２】
【数６５】
2004166273.tif 000067
【０２２３】
が得られ、
【０２２４】
【数６６】
2004166273.tif 000068
【０２２５】
である。
【０２２６】
上の不等式は、次の基地局ＢＳ2の近接によってダウンリンクを中断しなくてはならない限界条件を表わす。
【０２２７】
選択される測定値のタイプがパラメータＰＬである場合、
【０２２８】
【数６７】
2004166273.tif 000069
【０２２９】
である。
【０２３０】
選択される測定値のタイプがパラメータＣＰＩＣＨ−ＲＳＣＰである場合、
【０２３１】
【数６８】
2004166273.tif 000070
【０２３２】
である。
【０２３３】
選択される測定値のタイプがパラメータＰＣＣＰＣＨ−ＲＳＣＰである場合、これは上の不等式のセット内の＜＜ＣＰＩＣＨ＞＞を＜＜ＰＣＣＰＣＨ＞＞で置き換えるのに十分である。
【０２３４】
【数６９】
2004166273.tif 000071
【０２３５】
選択される測定値のタイプがパラメータＣＰＩＣＨ−Ｅｃ／Ｎｏである場合、
【０２３６】
【数７０】
2004166273.tif 000072
【０２３７】
である。
【０２３８】
ＡＣＳMSの項と比較して、ＡＣＬＲBS2の項を無視することができる場合、ＰＬtarget_DLは、
【０２３９】
【数７１】
2004166273.tif 000073
【０２４０】
となる。
【０２４１】
第１の基地局ＢＳ1が、第１の移動局ＭＳに、この移動局ＭＳを設定するための設定メッセージを含む信号を送信するようにしてもよい。そのようなメッセージは、次から選択される少なくとも１つのパラメータを表わす情報要素を含む。
【０２４２】
−第１の移動局へのダウンリンク上のサービス特性目標値
【０２４３】
【数７２】
2004166273.tif 000074
【０２４４】
−第２の基地局ＢＳ2によってサービスを提供されるセル上で送信される全パワーレベルＰT_BS2
−第１の移動局ＭＳと第１の基地局ＢＳ1との間のダウンリンクで許容される、第１の基地局ＢＳ1による送信パワーの最大レベルＰT_DL
−ダウンリンク不感帯減少パラメータｚ
−第１の移動局ＭＳによる受信における隣接チャネルの選択率ＡＣＳMS
−第２の基地局ＢＳ2からの送信における隣接チャネル上の拒否率ＡＣＬＲBS2
−第２のしきい値Ｔtarget_DL。
【０２４５】
この発明の興味深い特徴によると、選択される測定値のタイプがパラメータＰＬ、パラメータＣＰＩＣＨ−ＲＳＣＰ、パラメータＰＣＣＰＣＨ−ＲＳＣＰ、パラメータＣＰＩＣＨ−Ｅｃ／Ｎｏである場合に、（５）および／または（９）、（６）および／または（１０）、（６ｂｉｓ）および／または（１０ｂｉｓ）、もしくは（７）および／または（１
１）と表わされる不等式が満たされるとすぐに、無線リンク障害手続が行なわれることが提案される。そのような無線リンク障害手続は、第１の移動局ＭＳによって実行される。
【０２４６】
上に定義され、かつ不等式（５）および（９）、（６）および（１０）、（６ｂｉｓ）および（１０ｂｉｓ）、または（７）および（１１）によって表わされる２つの基準の４つの対は、選択される測定値のタイプがそれぞれ、パラメータＰＬ、ＣＰＩＣＨ−ＲＳＣＰ、ＰＣＣＰＣＨ−ＲＳＣＰ、またはＣＰＩＣＨ−Ｅｃ／Ｎｏであるかによって、以降、幾何学的因子と呼ばれるＱf1_dB−Ｑf2_dBによって表現される量にすべて属する。２つの不等式は、
【０２４７】
【数７３】
2004166273.tif 000075
【０２４８】
のタイプであり、ここで、Ｔtarget_dBは次の値をとる。
【０２４９】
【表１】
2004166273.tif 000076
【０２５０】
不等式（１２．０）は特に、次の不等式のシステム
【０２５１】
【数７４】
2004166273.tif 000077
【０２５２】
に相当し、Ｈ1_dB＝０かつＨ2_dB＝０であり、パラメータＨ1およびＨ2は、１つまたは複数の対応するイベントを不注意で行なわないための、それぞれサービス基地局ＢＳ1および次の基地局ＢＳ2に関連する＜＜ヒステリシス＞＞パラメータである。ある変形の実施例によると、Ｈ1_dB≠０かつＨ2_dB≠０である。この場合、Ｔtarget_dBは、Ｔ′targe
t_dB＝Ｔtarget_dB−Ｈ1_dB−Ｈ2_dBとなり、不等式（５）から（１１）の意味は変わらない。特に、−Ｈ1_dB−Ｈ2_dBは、この場合、対応するイベントを行なうための付加的な＜＜トリガマージン＞＞である。
【０２５３】
したがって、式（１２．１）および（１２．２）は、第１および第２のパラメータを第１および第２の部分的なしきい値と比較するそれぞれのステップに対応する。無線リンクは、特に、Ｑf1_dB＜Ｔ１_target_DL_dBかつＱf2_dB＞Ｔ２_target_DL_dBであるとき、および／またはＱf1_dB＜Ｔ１_target_UL_dBかつＱf2_dB＞Ｔ２_target_UL_dBであるときに遮断される。
このような比較ステップを実行するために、第１の基地局は、移動局ＭＳを設定するための設定メッセージを移動局ＭＳに予め送信する。このようなメッセージは、移動局ＭＳと基地局ＢＳ1との間の無線リンクの遮断に関連したイベントを表わす情報要素を含む。このようなイベントは、特に、以下のイベントグループ、１ｅ、１ｆ、２ａ、２ｂ、２ｃ、および２ｄに属し得る。
【０２５４】
幾何学的因子に関連した不等式（１２．０）が、多数の等しい不等式によって表わされ得ることが明らかである。
【０２５５】
Ｔ1_targetおよびＴ2_targetの測定値の単位は、選ばれる測定値のタイプのそれである。
【０２５６】
不等式１２．１および１２．２は、推奨規格ＲＲＣ  ３ＧＰＰ  ＴＳ２５．３３１、ＵＭＴＳ  ＦＤＤ  ３ＧＰＰ規格のセクション１４．２内で定義される、一般にイベントと呼ばれるアクションを開始することによって、移動局ＭＳ内で評価され得る。
【０２５７】
たとえば、タイプ２ｂのイベントを用いることができる。このイベントは、以下を証明する。すなわち、「Ｑusedで表わされる、現在用いられている周波数の推定される特性値が、ある特定のしきい値Ｔusedよりも下にあり、Ｑun_usedで表わされる、用いられていない周波数の推定される特性値が、ある特定のしきい値Ｔun_usedよりも上にある」ことを証明する。このイベントは、以下の表に従ってＱf1、Ｑf2、Ｔ1_target、およびＴ2_targetを取ることによって、不等式１２．１および１２．２を満たすことを可能にする。
【０２５８】
【表２】
2004166273.tif 000078
【０２５９】
不等式１２．１および１２．２が満たされる場合、タイプ２ｂのイベントによって、それが検出される。
【０２６０】
大きさＱf1およびＱf2は、移動局ＭＳによって測定される。特に、大きさＱf2は、移動局ＭＳ内の圧縮モードの実現に従って測定され得る。
【０２６１】
さらに、大きさを構成するパラメータＴ1_targetおよびＴ2_targetは、ネットワークプラニング中に予め定義され、または、それらのすべてまたはいくつかが、基地局ＢＳ1のＵＴＲＡＮネットワークによってリアルタイムで測定されて、式１２．３を満たし、ネットワークによって移動局ＭＳに供給される。
【０２６２】
変形例によると、不等式１２．１および１２．２の評価は、２つの別個のイベント、つまり、タイプ２ｃのイベントとタイプ２ｄのイベントとによって行なわれ得る。イベント２ｃは、「用いられていない周波数の推定される特性値Ｑnon_usedが、しきい値Ｔnon_usedよりも上にある」ことをチェックし、イベント２ｄは、「現在用いられている周波数の推定される特性値Ｑusedが、しきい値Ｔusedよりも下にある」ことをチェックする。これらの２つのイベントの評価は、イベント２ｂのそれと等しい。
【０２６３】
上記の選ばれた測定値のタイプがパラメータＰＬである場合の、基地局ＢＳ1のＵＴＲＡＮネットワークおよび移動局ＭＳにおけるこの発明の方法の実現例
この発明の枠組み内では、２つのオペレータのそれぞれの２つの固定ネットワークは、最も不利な状況下では、調和せず、したがって、リアルタイムで情報を交換できないと仮定される。オペレータ１は、移動局ＭＳがそれと共に使用される第１の基地局ＢＳ１を管理する。このサービスリンクによって、オペレータ１は、移動局ＭＳに独自のパラメータへのアクセスを有する。オペレータ２は、アップリンク不感帯の犠牲となる次の基地局ＢＳ２を管理し、それに独自のパラメータを認識している。イベントは、サービス基地局ＢＳ１、次の基地局ＢＳ２、および移動局ＭＳに独自のパラメータから構成されるため、オペレータ１が移動局ＭＳ内で無線イベントを設定できるように、移動局ＭＳが測定できない、次の基地局ＢＳ２に独自のパラメータを、オペレータ２がオペレータ１に伝達することが必要である。したがって、移動局ＭＳが測定できない、次の基地局ＢＳ2に独自のパラメータを、オペレータ１がリアルタイムで知ることはできない。したがって、これらのパラメータは、静的であると仮定され、または、このことが行われず先験的に知られている範囲内で変動すると仮定される。
【０２６４】
移動局ＭＳが、アップリンクに関連する基準を監視しなければならない場合、選ばれた測定値のタイプがパラメータＰＬならば、まず、オペレータの固定ネットワークが以下のように図２のステップを行なうことが必要である。
【０２６５】
ａ）  オペレータ２は、ＩBS2について可能な値の範囲、つまり、［ＩBS2_min,ＩBS2_max］（ＩBS2_min＜ＩBS2_max）を決定し、それをオペレータ１に伝達する。さらに、オペレータ２は、パラメータＡＣＳBS2をオペレータ１に伝達する。パラメータＡＣＳBS2の値は、たとえば、アップリンク不感帯の観点において最悪の事例では、３ＧＰＰ  ＴＳ  ２５．１０４規格内に明記されるような４３ｄＢに等しく、または、オペレータがより高い性能の基地局を有する場合には、より優れた（つまり、より高い）値に等しくなり得る。デフォルトでは、この値は、３ＧＰＰ推奨規格ＴＳ  ２５．１０４に明記されるような４３ｄＢに等しいと仮定される。２つのオペレータは、アップリンク不感帯効果にとって許容可能な値ｘにおいて合意する。オペレータ１は、第１の基地局ＢＳ1によって測定され、さらには３ＧＰＰ  ＴＳ  ２５．２１５規格に規定されるような、アップリンクの周波数ｆ1-UL上で受信される広帯域信号のパラメータＲＳＳＩの値に他ならないＩBS1をリアルタイムで測定することができる。さらに、第１の移動局ＭＳにサービスを提供しているオペレータ１は、このサービスの特性目標値を認識しており、そこから
【０２６６】
【数７５】
2004166273.tif 000079
【０２６７】
を演繹することができる。
【０２６８】
ｂ）  オペレータ１は、パラメータＡＣＬＲMSが、アップリンク不感帯範囲にとって最悪の値、つまり、３ＧＰＰ  ＴＳ  ２５．１０１規格に明記されるような３３ｄＢを有することをデフォルトで仮定する。
【０２６９】
改良された実施例によると、パラメータＡＣＬＲMSは、第１の移動局ＭＳに特有であり、そのメモリに記憶されると仮定される。この特有のパラメータは、後に、ＡＣＬＲMS_specとして表わされる。このパラメータは、たとえば、移動局を工場で調整する間の測定値の、または構造によって保証される値と等しい、対象を形成し得る。移動局ＭＳは、このパラメータＡＣＬＲMS_specをそのＵＴＲＡＮオペレータネットワークに送る。このような実施例によって、ＵＴＲＡＮネットワークが、パラメータＡＣＬＲMSの値の観点において、より優れた第１の移動局の性能の利益を受けることが可能となる。実際に、この場合、このパラメータＡＣＬＲMS_specの値がより優れているならば、パラメータＡＣＩＲの値（ＡＣＩＲ_dB＜０）は、より小さくなり、しきい値Ｔtarget（Ｔtarget_dB＜０）は、より小さくなり、後に、移動局が次の基地局ＢＳ2に近づいたときに、イベントが実行され、このことは、第１の移動局ＭＳに関して、より長くサービスを維持する効果を持つ。
【０２７０】
次に、ＵＴＲＡＮオペレータネットワークは、移動局ＭＳによって送信されるパラメータＡＣＬＲMS_specと、上で定義されたようなパラメータＡＣＳBS2とに従って、以下の式によってパラメータＡＣＩＲULを計算する。
【０２７１】
【数７６】
2004166273.tif 000080
【０２７２】
移動局ＭＳのオペレータのＵＴＲＡＮネットワークは、以下でＴtarget_ULと表わされる、アップリンクのしきい値Ｔtargetをリアルタイムで以下のように計算する。すなわち、たとえば、−７０ｄＢ等の小さなしきい値、つまり、不感帯効果を大きく減じるための非常に感度の高いものについては、
【０２７３】
【数７７】
2004166273.tif 000081
【０２７４】
となるように計算し、または、たとえば、−５０ｄＢ等の大きなしきい値、つまり、不感帯効果を中程度に減じるための非常に感度の悪いものについては、
【０２７５】
【数７８】
2004166273.tif 000082
【０２７６】
となるように計算する。
【０２７７】
ｃ）  移動局ＭＳのオペレータのＵＴＲＡＮネットワークは、（１２．３）と同様の式である
【０２７８】
【数７９】
2004166273.tif 000083
【０２７９】
となるように、部分的なしきい値Ｔ1_target_ULおよびＴ2_target_ULを決定する。この式に従うＴ1_target_ULとＴ2_target_ULとの間にＴtarget_ULを分散させることは、以下の等しい基準のうちのいずれかに従って行なわれ得る。
【０２８０】
−  第１の基地局から第１の移動局までの距離。無線ネットワークプラニングに従った所望の距離が大きい（または、小さい）場合、第１の部分的なしきい値Ｔ1_target_UL_dB＜０は、たとえば、−９５ｄＢｍ（または、−７５ｄＢｍ）等のように、小さく（または、大きく）なるように選ばれる。第２の部分的なしきい値Ｔ2_target_ULは、式１２．３に従って演繹される。
【０２８１】
−  第２の基地局ＢＳ2に対する、第１の移動局ＭＳの接近。無線ネットワークプラニングに従ったこの所望の接近が、小さい（または、大きい）場合、第２の部分的なしきい値Ｔ2_target_ULは、たとえば、−９５ｄＢｍ（または、−７５ｄＢｍ）のように、小さく（または、大きく）なるように選ばれる。第１の部分的なしきい値Ｔ1_target_ULは、式１２．３に従って演繹される。
【０２８２】
ｄ）  移動局ＭＳのオペレータ１のＵＴＲＡＮネットワークは、１つ以上のメッセージの形で、タイプ２ｂのイベントまたはタイプ２ｃおよびタイプ２ｄのイベント、および部分的なしきい値Ｔ1_target_ULおよびＴ2_target_ULを移動局ＭＳに送信する。
【０２８３】
最後に、ヒステリシス値は、不注意によるイベントの実行を最良の様態でフィルタリングするように定義される。通例、それらは、しきい値Ｔtargetの計算で導かれる測定誤差、つまり、１０ｄＢに等しい。さらに、それらは、たとえば、密集した多重反射による短期信号の伝搬によるパワー減衰損失による大きさＱf1およびＱf2の急速な変動にも対応し得る。
【０２８４】
改良された実施例によると、ステップｂ）、ｃ）、およびｄ）は、以下のステップｂ′）、ｃ′）、およびｄ′）と置換えられる。このような実施例によっても、ＵＴＲＡＮネットワークが、ＡＣＬＲMSの観点においてより優れた第１の移動局の性能の恩恵を被ることが可能となる。
【０２８５】
ｂ′）  特定のパラメータＡＣＬＲMS_specは、第１の移動局ＭＳのメモリに記憶されると仮定される。このパラメータは、たとえば、移動局を工場で調整する間の測定値の、
または構造によって保証される値と等しい、対象を形成し得た。移動局ＭＳのオペレータのＵＴＲＡＮネットワークは、以下でＴintermediary_ULとして表わされるアップリンク中間しきい値Ｔintermediaryをリアルタイムで以下のように計算する。すなわち、たとえば、−３０ｄＢ等の小さなしきい値、つまり、不感帯効果を大きく減じるための非常に感度の高いものについては、
【０２８６】
【数８０】
2004166273.tif 000084
【０２８７】
となるように計算し、または、たとえば、−１０ｄＢ等の大きなしきい値、つまり、不感帯効果を中程度に減じるための非常に感度の悪いものについては、
【０２８８】
【数８１】
2004166273.tif 000085
【０２８９】
となるように、計算する。
【０２９０】
移動局ＭＳのオペレータのＵＴＲＡＮネットワークは、パラメータＴintermediary_ULおよびＡＣＳBS2を移動局ＭＳに送信し、後者のパラメータは、デフォルトでは、つまり、オペレータ２によって提供されない場合には、４３ｄＢに等しいと移動局ＭＳによって仮定される。移動局ＭＳのオペレータのＵＴＲＡＮネットワークはまた、パラメータＴ1_target_ULの最大許容可能な値Ｔ1_target_UL_maxを移動局ＭＳに送信する。この値は、上述のステップｃ）と同様の様態で選ばれる。
【０２９１】
ｃ′）  移動局ＭＳは、パラメータＡＣＬＲMS_specおよびＡＣＳBS2によって上で定義されたような式に従って、値ＡＣＩＲULを決定する。次に、移動局ＭＳは、以下のようにＴtarget_ULを計算する。
【０２９２】
【数８２】
2004166273.tif 000086
【０２９３】
ｄ′）  移動局ＭＳは、（１２．３）と同様の式である
【０２９４】
【数８３】
2004166273.tif 000087
【０２９５】
となるように、Ｔ1_target_ULおよびＴ2_target_ULを演繹する。この式に従うＴ1_target_ULとＴ2_target_ULとの間にＴtarget_ULを分散させることは、以下の式に従って、移動局によって行なわれ得る。
【０２９６】
【数８４】
2004166273.tif 000088
【０２９７】
Ｔ1_target_UL_maxは、第１のしきい値Ｔ1_target_ULの第１の最大の部分的なしきい値として定義される。
【０２９８】
上述の実施例は、選ばれた測定値のタイプがパラメータＣＰＩＣＨ−ＲＳＣＰである場合に、実現され得る。この場合、オペレータ２は、ＴＸ＿ＣＰＩＣＨBS2の変動範囲、つまり、
【０２９９】
【数８５】
2004166273.tif 000089
【０３００】
をオペレータ１に伝達する。オペレータ１は、３ＧＰＰ推奨規格ＴＳ  ２５．２１５に定義されるような、送信されるコードＣＰＩＣＨのパワーに他ならないＴＸ＿ＣＰＩＣＨBS1をリアルタイムで測定する。
【０３０１】
したがって、オペレータ１は、感度の高いしきい値を必要とする場合、
【０３０２】
【数８６】
2004166273.tif 000090
【０３０３】
に従って計算し、中程度のしきい値を必要とする場合、
【０３０４】
【数８７】
2004166273.tif 000091
【０３０５】
に従って計算をし得、上述のように、ＣＰＩＣＨ＿ＲＳＣＰ1_target_ULとＣＰＩＣＨ＿ＲＳＣＰ2_target_ULとの間に、ＣＰＩＣＨ＿ＲＳＣＰtarget_ULを分散させ得る。
【０３０６】
同様に、上述の実施例は、選ばれた測定値のタイプがパラメータＰＣＣＰＣＨ−ＲＳＣＰである場合、実現され得る。この場合、パラメータＣＰＩＣＨ−ＲＳＣＰが、選ばれた測定値のタイプである上の事例において、項＜＜ＣＰＩＣＨ＞＞を項＜＜ＰＣＣＰＣＨ＞＞に置き換えるだけで十分である。
【０３０７】
同様に、上述の実施例は、選ばれた測定値のタイプがパラメータＣＰＩＣＨ−Ｅｃ／Ｎ
ｏである場合に、実現され得る。オペレータ２は、ＲＳＳＩBS2の変動範囲、つまり、［ＲＳＳＩBS2_min,ＲＳＳＩBS2_max］をオペレータ１に伝達する。オペレータ１は、３ＧＰＰ推奨規格ＴＳ  ２５．２１５に定義されているような、第１の基地局によって受信される全パワーに他ならないＲＳＳＩBS1をリアルタイムで測定する。
【０３０８】
したがって、オペレータ１は、感度の高いしきい値を必要とする場合には、
【０３０９】
【数８８】
2004166273.tif 000092
【０３１０】
に従って計算をし得、中程度のしきい値を必要とする場合には、
【０３１１】
【数８９】
2004166273.tif 000093
【０３１２】
に従って計算し得、上述のように、ＣＰＩＣＨ−Ｅｃ／Ｎｏ1_target_ULとＣＰＩＣＨ−Ｅｃ／Ｎｏ2_target_ULとの間に、ＣＰＩＣＨ−Ｅｃ／Ｎｏtarget_ULを分散させ得る。
【０３１３】
ステップｂ′）、ｃ′）、ｄ′）は、これらの上述の３つの測定値のタイプにも適用可能である。
【０３１４】
同様に、移動局ＭＳが、ダウンリンクに関連した基準を監視しなければならず、選ばれた測定値のタイプがパラメータＰＬである場合、まず、オペレータの固定ネットワークが、以下のように図３のステップを行なうことが必要となる。
【０３１５】
ａ）  オペレータ２は、ＰT_BS2について可能な値の範囲、つまり、［ＰT_BS2_min,ＰT_BS2_max］（ＰT_BS2_min＜ＰT_BS2_max）を決定し、それをオペレータ１に伝達する。パラメータＡＣＬＲBS2が、オペレータを介して先験的に知られていない場合、オペレータ１は、パラメータＡＣＬＲBS2についての最悪の値、つまり、３ＧＰＰ  ＴＳ  ２５．１０４規格に明記されているような、たとえば、４３ｄＢを用いる。さらに、オペレータ１は、第１の移動局ＭＳにサービスを提供し続け、このサービスの特性目標値を認識しており、そこから
【０３１６】
【数９０】
2004166273.tif 000094
【０３１７】
およびＰT_DLを演繹することができ、ＰT_DLは、まさしく、関連のサービスに関して第１の基地局ＢＳ1から移動局ＭＳにかけて許容されている最大パワーである。最終的に、パ
ラメータｚは、以下の測定値に基づいて、リアルタイムで計算され得る。すなわち、推奨規格３ＧＰＰ  ＴＳ  ２５．２１５によると、サービス基地局ＢＳ1によって送信される全広帯域パワーに他ならないＰT_BS1に基づいて、計算され得、さらには、以下の仮定に基づいて、計算され得る。すなわち、上で決定されたパラメータ
【０３１８】
【数９１】
2004166273.tif 000095
【０３１９】
に加えて、β＝１、不感帯効果にとって最悪の事例が、式
【０３２０】
【数９２】
2004166273.tif 000096
【０３２１】
に入るという仮定に基づいて、計算され得る。
【０３２２】
ｂ）  オペレータ１はまた、ダウンリンク不感帯効果にとって最悪の値、ＡＣＳMS、つまり、推奨規格３ＧＰＰ  ＴＳ  ２５．１０１に定義されているような３３ｄＢをデフォルトにより先験的に仮定する。
【０３２３】
実際には、パラメータＡＣＳMSの値は、３３ｄＢよりもずっと優れており、この結果は、ダウンリンクを、それがダウンリンク不感帯によって影響を及ぼされる場合に、より頑強にする。ダウンリンク不感帯効果の観点からは最も不都合であるとされるこの値３３ｄＢを仮定すると、ＵＴＲＡＮネットワークは、トリガしきい値を上昇させ、このことは、ダウンリンク不感帯効果を強めるという「本質的な」効果を持つ。
【０３２４】
代替的な実施例によると、パラメータＡＣＳMSは、第１の移動局に特有であり、そのメモリに記憶されると仮定される。この特有のパラメータは、この説明の残りの部分では、ＡＣＳMS_specと表わされる。このパラメータは、たとえば、移動局を工場で調整する間の測定値の、または構造によって保証される値と等しい、対象を形成し得た。移動局ＭＳは、この特有のパラメータＡＣＳMS_specをそのＵＴＲＡＮオペレータネットワークに送信する。このような代替例は、ＡＣＳMSの「実際の」値を考慮に入れることによって、ダウンリンク不感帯のための「実際の」トリガしきい値がより良く定義されることを可能にする。実際に、３３ｄＢのデフォルト値を取ることによって、ネットワークは、感度が高すぎる様態でダウンリンク不感帯効果を引起こす危険を冒すことになる。
【０３２５】
ＵＴＲＡＮオペレータネットワークは、以下の式により、上で定義されたようなパラメータＡＣＳMS_specおよびＡＣＬＲBS2に従ってパラメータＡＣＩＲDLを計算する。
【０３２６】
【数９３】
2004166273.tif 000097
【０３２７】
移動局ＭＳのオペレータのＵＴＲＡＮネットワークは、以下でＴtarget_DLと表わされるダウンリンクしきい値Ｔtargetを以下のように計算する。すなわち、感度の高いしきい値を必要とする場合には、
【０３２８】
【数９４】
2004166273.tif 000098
【０３２９】
となるように、または、中程度のしきい値を必要とする場合には、
【０３３０】
【数９５】
2004166273.tif 000099
【０３３１】
となるように、計算する。
【０３３２】
ｃ）  移動局ＭＳのオペレータのＵＴＲＡＮネットワークは、
【０３３３】
【数９６】
2004166273.tif 000100
【０３３４】
となるように、部分的なしきい値Ｔ1_target_DLおよびＴ2_target_DLを決定する。Ｔ1_target_DLとＴ2_target_DLとの間のバランスは、部分的なしきい値を用いるアップリンク不感帯の事例において詳述されたものと同様の計算ルールおよび同じ妥協の対象を形成する。特に、以下の式が用いられる。
【０３３５】
【数９７】
2004166273.tif 000101
【０３３６】
Ｔ1_target_DL_maxは、最大の部分的なしきい値Ｔ1_target_DLとして定義され、第１の基地局のダウンリンク不感帯に関連する。ダウンリンクに関連するしきい値Ｔtarget_DL
も、いずかの適切な手段によって、一般的な様態で、第１の移動局にとって利用可能であるようにされる。
【０３３７】
ｄ）  移動局ＭＳのオペレータのＵＴＲＡＮネットワークは、１つ以上のメッセージの形で、タイプ２ｂのイベント、またはタイプ２ｃおよびタイプ２ｄのイベント、および部分的なしきい値Ｔ1_target_DLおよびＴ2_target_DLを移動局ＭＳに送信する。
【０３３８】
最終的に、サービス基地局ＢＳ1および次の基地局ＢＳ2に関連するヒステリシスＨ1およびＨ2は、アップリンク不感帯の場合と同じ様態で定義される。
【０３３９】
代替的な実施例によると、ステップｂ）、ｃ）、およびｄ）は、以下のステップｂ′）、ｃ′）、およびｄ′）に置き換えられる。このような代替例は、ＡＣＳMSの特有の値、つまり、ＡＣＳMS_specを考慮に入れることによって、ダウンリンク不感帯のための「実際の」トリガしきい値がより良く定義されることを可能にする。
【０３４０】
ｂ′）  パラメータＡＣＳMS_specは、第１の移動局ＭＳのメモリに記憶されると仮定される。このパラメータは、たとえば、移動局を工場で調整する間の測定値の、または構造によって保証される値と等しい、対象を形成し得た。移動局ＭＳのオペレータのＵＴＲＡＮネットワークは、以下でＴintermediary_DLと表わされるダウンリンク中間しきい値Ｔintermediaryをリアルタイムで以下のように計算する。すなわち、たとえば、−１０ｄＢ等の小さなしきい値、つまり、不感帯効果を大きく減じるための非常に感度の高いものについては、
【０３４１】
【数９８】
2004166273.tif 000102
【０３４２】
となるように、または、たとえば、−３０ｄＢ等のしきい値、つまり、不感帯効果を中程度に減じるためのそれほど感度が高くないものについては、
【０３４３】
【数９９】
2004166273.tif 000103
【０３４４】
となるように、計算する。
【０３４５】
移動局ＭＳのオペレータのＵＴＲＡＮネットワークは、パラメータＴintermediary_DLおよびＡＣＬＲBS2を移動局ＭＳに送信し、後者のパラメータは、デフォルトでは、つまり、それがオペレータ２によって利用可能にされていない場合には、４３ｄＢに等しいと移動局ＭＳによって仮定される。移動局ＭＳのオペレータのＵＴＲＡＮネットワークは、第１の部分的な値Ｔ1target_DLに関連した第１の最大の部分的なしきい値Ｔ1target_DL_maxも移動局ＭＳに送信する。この値は、上のステップｃ）と同様の様態で選ばれる。
【０３４６】
ｃ′）  移動局ＭＳは、パラメータＡＣＳMS_specおよびＡＣＬＲBS2から上で定義されたような式により、値ＡＣＩＲDLを決定する。次に、移動局ＭＳは、以下のように、ダウ
ンリンクに関連するしきい値Ｔtarget_DLを計算する。
【０３４７】
【数１００】
2004166273.tif 000104
【０３４８】
ｄ′）  移動局ＭＳは、そこから、ダウンリンクに関連した部分的なしきい値Ｔ1_target_DLおよびＴ2_target_DLを以下のように演繹する。すなわち、（１２．３）と同様の式である
【０３４９】
【数１０１】
2004166273.tif 000105
【０３５０】
となるように、演繹する。この式に従うしきい値Ｔtarget_ULをＴ1_target_ULとＴ2_target_ULとの間に分散させることは、以下の式に従って移動局によって行なわれ得る。
【０３５１】
【数１０２】
2004166273.tif 000106
【０３５２】
さらに、選ばれた測定値のタイプがパラメータＣＰＩＣＨ−ＲＳＣＰ、ＰＣＣＰＣＨ−ＲＳＣＰ、またはＣＰＩＣＨ−Ｅｃ／Ｎｏである場合、部分的なしきい値Ｔ1target_DLおよびＴ2target_DLの計算は、アップリンク不感帯の場合と同様の様態で行なわれ得る。
【０３５３】
アップリンク不感帯およびダウンリンク不感帯という２つの事例では、アップリンクの部分的なしきい値（Ｔ1_target_UL，Ｔ2_target_UL）と、ダウンリンクの部分的なしきい値（Ｔ1_target_DL，Ｔ2_target_DL）とは、たとえば、以下の様態で定義され得る。
【０３５４】
【数１０３】
2004166273.tif 000107
【０３５５】
式中、ＰＬ1maxは、基地局ＢＳ1に関連したセル上で送信される信号の伝搬による最大許容パワー減衰損失を表わすパラメータである。
【０３５６】
【数１０４】
2004166273.tif 000108
【０３５７】
移動局ＭＳのレベルでは、無線リンク障害手続を行なうための、相互排除的な４つの異なるストラテジが採用され得る。したがって、無線リンク障害手続は、
−  不等式（５）（または、（６）、（６ｂｉｓ）、（７））が満たされ、かつ不等式（９）（または、（１０）、（１０ｂｉｓ）、（１１））が満たされなくなるとすぐに、または、
−  不等式（９）（または、（１０）、（１０ｂｉｓ）、（１１））が満たされ、かつ不等式（５）（または、（６）、（６ｂｉｓ）、（７））が満たされなくなるとすぐに、または、
−  ２つの不等式が満たされるとすぐに、または、
−  ２つの不等式のうちの一方（５）（または、（６）、（６ｂｉｓ）、（７））または他方（９）（または、（１０）、（１０ｂｉｓ）、（１１））のみが満たされるとすぐに、
行なわれる。
【０３５８】
方法は、これらのストラテジのうちのいずれが採用されるかに応じて、不感帯に対してより感度が高くなるか、またより低くなる。
【０３５９】
移動局において無線リンク障害手続を行なうためのプロセスが、図４によって示される。
【０３６０】
−  移動局は、採用されるストラテジに従って、その実現のために必要とされる部分的なしきい値（Ｔ1_target_UL，Ｔ2_target_UL）および／または（Ｔ1_target_DL，Ｔ2_target_DL）が受信されたこと（両方の不等式が満たされたこと、または１つの不等式のみが満たされたこと）をチェックする。
【０３６１】
−  これらの部分的なしきい値が受信されているならば、移動局は、採用されるストラテジに従って、タイプ２ｂのイベント、またはタイプ２ｃおよび２ｄのイベントがアップリンクおよび／またはダウンリンクのために受信されたことをチェックする。
【０３６２】
−  受信されたイベントは、アップリンクに関連した、受信された部分的なしきい値（Ｔ1_target_UL，Ｔ2_target_UL）および／またはダウンリンクに関連した、受信された部分的なしきい値（Ｔ1_target_DL，Ｔ2_target_DL）で更新される。
【０３６３】
−  ストラテジを実現するために必要とされるイベントがチェックされるならば、移動局ＭＳは、測定比を基地局ＢＳ1に送信し、この測定比は、特に、測定値Ｑf1およびＱf2を含む。
【０３６４】
−  最終的に、イベントの実行によって調整される無線リンク障害手続活性化メッセージが予め受信されているならば、移動局ＭＳは、無線リンク障害手続を行なう。移動局がこのメッセージを予め受信していなかった場合には、上のステップが繰返される。
【０３６５】
移動局ＭＳにおいて無線リンク障害手続を行なうことの効果は、３ＧＰＰ／ＵＭＴＳ規格の推奨規格ＲＲＣ  ２５．３３１内に定義されている。
【０３６６】
−  基地局ＢＳ1とのアップリンクおよびダウンリンクの解除。このとき、移動局ＭＳによってアップリンク上で送信されるパワーは、０となり、移動局ＭＳによるアップリンク不感帯は０となる。
【０３６７】
−  可能であれば、より良いサービス特性を有する別の基地局を再選択する。
【０３６８】
−  新しい基地局が再選択されると、そこへ再配置メッセージが送信され、新しい基地局とのリンクが再確立される。
【０３６９】
無線リンク障害手続時に他の基地局が再選択され得ない場合、移動局は、いずれの無線リンクも再びセットアップされ得なかった限りにおいて、別の基地局の再選択手続を規則的に繰返す。
【０３７０】
改良された実施例では、潜在的な不感帯が関連している地理的ゾーンに存在している可能性のある移動局に対してのみイベントが供給される。たとえば、あるセルが競合するオペレータのセル付近に存在しない場合、このセル内にある移動局にイベントを送信する必要はない。
【０３７１】
さらに、不感帯であるかもしれないセルのゾーン内に移動局がありそうな場合にのみ、無線リンク障害手続が移動局において開始される。たとえば、イベントの実行によって調整される無線リンク障害手続は、移動局がそのサービス基地局に非常に近い場合、開始されない。この無線イベントの実行は、図４で予め示されたように、専用メッセージを移動局に送信することによって行なわれる。有利なことには、イベントの実行によって調整される無線リンク障害手続を開始するためのこのメッセージは、無線リンク障害手続を実行するイベントのタイプに関連した情報要素を含む。
【０３７２】
特に、以下のグループに含まれるイベントまたはイベントの組合せを選ぶことができる。以下のグループとは、すなわち、
タイプ１ｅのイベント、
タイプ１ｆのイベント、
タイプ２ａのイベント、
タイプ２ｂのイベント、
タイプ２ｃのイベント、および
タイプ２ｄのイベントである。
【０３７３】
タイプ２ｂのイベントまたはタイプ２ｃおよび２ｄのイベントとともにイベントを実行するときに無線リンク障害手続を用いることによって、移動局ＭＳによる不感帯の事後の削除が可能となる。しかし、この方式は受動的と見なされ得る。なぜならば、無線リンク障害手続が行なわれるとき、不感帯効果は既に始まっているためである。
【実施例２】
【０３７４】
代替的な実施例によると、不感帯効果が予想されること、および不感帯が生じる前にアップリンク上のいずれの送信も停止されることが提案される。この代替例に関して、ＵＭＴＳ  ＦＤＤ  ３ＣＰＰ規格の推奨規格ＲＲＣ  ２５．３３１、セクション１４．２内で定義されるような「最良の周波数の変化」に対応して、タイプ２ａのイベントが用いられる。
【０３７５】
このイベントを用いて、不等式
【０３７６】
【数１０５】
2004166273.tif 000109
【０３７７】
のコンプライアンスが検出される。式中、Ｑbestは、「最良の周波数」と見なされる周波数の特性の推定値であり、Ｑnon_bestは、「最良の周波数」と見なされない周波数の特性の推定値であり、Ｈ2aは、たとえば、０ｄＢと１４．５ｄＢとの間にあるヒステリシス値である。
【０３７８】
選ばれた測定値のタイプが、基地局から送信される信号の伝搬によるパワー減衰損失に対応する場合、
【０３７９】
【数１０６】
2004166273.tif 000110
【０３８０】
を満たすように、
【０３８１】
【数１０７】
2004166273.tif 000111
【０３８２】
を求め、Ｈ2aは、たとえば、０ｄＢと１４．５ｄＢとの間にある非常に低いしきい値である。このような実施例は、予防策として用いられ得、ＵＴＲＡＮ固定ネットワークが、いずれかのアップリンク不感帯劣化を妨げることを可能にする。
【０３８３】
タイプ２ａのイベントは、選ばれた測定値のタイプがパラメータＣＰＩＣＨ−ＲＳＣＰ、ＰＣＣＰＣＨ−ＲＳＣＰ、またはＣＰＩＣＨ  Ｅｃ／Ｉｏである場合に、適用可能である。
【０３８４】
変形例によると、オペレータ１のＵＴＲＡＮネットワークは、イベントの実行時に、自動的な無線リンク障害手続を開始しない。この場合、設定されたイベントが、移動局で実行され、送信されるならば、固定ＵＴＲＡＮネットワークは、移動局との無線リンクを解除し、それに対して以下のメッセージを送信する可能性を持つ。すなわち、
無線ベアラ再設定、
無線ベアラ解除、
トランスポートチャネル再設定、または
３ＧＰＰ  ＴＳ  ２５．３３１規格に明記されるような物理的なチャネルの再設定
のメッセージを送信する可能性を持つ。
【０３８５】
この発明は、「マルチオペレータ  周波数間」事例について説明されてきた。当然のことながら、サービス基地局ＢＳ1および次の基地局ＢＳ2に関連したアップリンクのサービス周波数ｆ1-ULおよびｆ2-ULが等しい場合（「マルチオペレータ  周波数内」事例）、不等式（５）、（６）、および（７）内のパラメータＡＣＬＲMSに対して０の値を選ぶこと
ができ、不等式（９）、（１０）、および（１１）内のパラメータＡＣＳMSに対して０の値を選ぶことができる。さらに、３ＧＰＰ規格の推奨規格２５．３３１、セクション１４．１内で定義されるタイプ１ｅのイベントおよびタイプ１ｆのイベントを、それぞれ、タイプ２ｃのイベントおよびタイプ２ｄのイベントの代わりに用いることができる。
【図面の簡単な説明】
【０３８６】
【図１】「周波数間マルチオペレータ」事例を示す図である。
【図２】ＰＬタイプ測定値である場合に第１の基準をチェックするために移動局のＵＴＲＡＮネットワークで実行される動作を示す図である。
【図３】ＰＬタイプ測定値である場合に第２の基準をチェックするために移動局のＵＴＲＡＮネットワークで実行される動作を示す図である。
【図４】ＰＬタイプ測定値である場合にこの発明の方法を実現するために移動局で実行される動作を示す図である。
【符号の説明】
【０３８７】
ＢＳ１  第１の基地局、ＢＳ2  第２の基地局、ＭＳ  第１の移動局、ＭＳ′  第２の移動局、ｆ1-UL  第１の周波数、ｆ2-UL、第２の周波数。
【図１】
2004166273.tif 000150
【図２】
2004166273.tif 000151
【図３】
2004166273.tif 000152
【図４】
2004166273.tif 000153